(57)【要約】      （修正有）【課題】ワイヤレス通信システムにおけるネットワークエンティティによってサービス提供される１つまたは複数のユーザ機器のためのアップリンクスケジューリングを管理する方法を提供する。【解決手段】ネットワークエンティティによって、アップリンク帯域幅割り振りマップを生成する。アップリンク帯域幅割り振りマップは、複数のアップリンク伝送ウィンドウ長の少なくとも１つについての、１つまたは複数のユーザ機器の少なくとも１つのためのアップリンク帯域幅割り振りを定義する。更にネットワークエンティティは、１つまたは複数のユーザ機器の少なくとも１つにアップリンク帯域幅割り振りマップを送信する。【選択図】図７Ａ
2020099080.tif 000002
【特許請求の範囲】
【請求項１】
ワイヤレス通信システムにおけるネットワークエンティティによってサービス提供される１つまたは複数のＵＥのためのアップリンクスケジューリングを管理する方法であって、
前記ネットワークエンティティによって、アップリンク帯域幅割り振りマップを生成することと、前記アップリンク帯域幅割り振りマップは、複数のアップリンク伝送ウィンドウ長の少なくとも１つについての前記１つまたは複数のＵＥの少なくとも１つのためのアップリンク帯域幅割り振りを定義し、
前記１つまたは複数のＵＥの少なくとも１つに前記アップリンク帯域幅割り振りマップを送信することと
を備える、方法。
【請求項２】
前記生成することと送信することは、周期的に、及び周期性時間期間にしたがって生じる、請求項１の方法。
【請求項３】
アップリンク伝送ウィンドウのためのアップリンク伝送ウィンドウ長を選択することと、
前記アップリンク伝送ウィンドウの前に、前記１つまたは複数のＵＥの少なくとも１つに前記アップリンク伝送ウィンドウ長を送信することと
を更に備える、請求項１の方法。
【請求項４】
前記アップリンク伝送ウィンドウ長は、前記ネットワークエンティティに関連付けられた複数の前記１つまたは複数のＵＥに少なくとも部分的に基づいて選択される、請求項３の方法。
【請求項５】
前記アップリンク伝送ウィンドウ長は、前記１つまたは複数のＵＥに対応するＵＥのアップリンクロードに少なくとも部分的に基づいて選択される、請求項３の方法。
【請求項６】
複数の前記１つまたは複数のＵＥが前記アップリンク帯域幅割り振りマップにしたがって帯域幅を共有すべきと決定することと、
前記複数の前記１つまたは複数のＵＥの少なくとも１つによるアップリンク伝送の符号分割多重化を可能にするために、前記複数の前記１つまたは複数のＵＥの少なくとも１つのための一意のコードを生成することと、
前記複数の前記１つまたは複数のＵＥの少なくとも１つに前記一意のコードを送信することと
を更に備える、請求項１の方法。
【請求項７】
前記アップリンク帯域幅割り振りは、隣接する帯域幅の割り振りである、請求項１の方法。
【請求項８】
前記アップリンク帯域幅割り振りは、複数の不連続の帯域幅の範囲の割り振りを備える、請求項１の方法。
【請求項９】
ワイヤレス通信システムにおけるネットワークエンティティによってサービス提供される１つまたは複数のＵＥのためのアップリンクスケジューリングを管理するための装置であって、
プロセッサと、
前記プロセッサと電子通信するメモリと、
前記メモリに記憶された命令と
を備え、前記命令は、
前記ネットワークエンティティによって、アップリンク帯域幅割り振りマップを生成することと、前記アップリンク帯域幅割り振りマップは、複数のアップリンク伝送ウィンドウ長の少なくとも１つについての前記１つまたは複数のＵＥの少なくとも１つのためのアップリンク帯域幅割り振りを定義し、
前記１つまたは複数のＵＥの少なくとも１つに前記アップリンク帯域幅割り振りマップを送信することと
を行うように前記プロセッサによって実行可能である、装置。
【請求項１０】
前記アップリンク帯域幅割り振りマップを生成することを行うように前記プロセッサによって実行可能な前記命令と、前記アップリンク帯域幅割り振りマップを送信することを行うように前記プロセッサによって実行可能な前記命令は、周期的に、及び周期性時間期間にしたがって、前記プロセッサによって実行される、請求項９の装置。
【請求項１１】
前記命令は、
アップリンク伝送ウィンドウのためのアップリンク伝送ウィンドウ長を選択することと、
前記アップリンク伝送ウィンドウの前に、前記１つまたは複数のＵＥの少なくとも１つに前記アップリンク伝送ウィンドウ長を送信することと
を行うように前記プロセッサによって更に実行可能である、請求項９の装置。
【請求項１２】
前記アップリンク伝送ウィンドウ長は、前記ネットワークエンティティに関連付けられた複数の前記１つまたは複数のＵＥに少なくとも部分的に基づいて選択される、請求項１１の装置。
【請求項１３】
前記アップリンク伝送ウィンドウ長は、前記１つまたは複数のＵＥに対応するＵＥのアップリンクロードに少なくとも部分的に基づいて選択される、請求項１１の装置。
【請求項１４】
前記命令は、
複数の前記１つまたは複数のＵＥが前記アップリンク帯域幅割り振りマップにしたがって帯域幅を共有すべきと決定することと、
前記複数の前記１つまたは複数のＵＥの少なくとも１つによるアップリンク伝送の符号分割多重化を可能にするために、前記複数の前記１つまたは複数のＵＥの少なくとも１つのための一意のコードを生成することと、
前記複数の前記１つまたは複数のＵＥの少なくとも１つに前記一意のコードを送信することと
を行うように前記プロセッサによって更に実行可能である、請求項９の装置。
【請求項１５】
前記アップリンク帯域幅割り振りは、隣接する帯域幅の割り振りである、請求項９の装置。
【請求項１６】
前記アップリンク帯域幅割り振りは、複数の不連続の帯域幅の範囲の割り振りを備える、請求項９の装置。
【請求項１７】
ワイヤレス通信システムにおけるネットワークエンティティによってサービス提供される１つまたは複数のＵＥのためのアップリンクスケジューリングを管理するための装置であって、
前記ネットワークエンティティによって、アップリンク帯域幅割り振りマップを生成する手段と、前記アップリンク帯域幅割り振りマップは、複数のアップリンク伝送ウィンドウ長の少なくとも１つについての前記１つまたは複数のＵＥの少なくとも１つのためのアップリンク帯域幅割り振りを定義し、
前記１つまたは複数のＵＥの少なくとも１つに前記アップリンク帯域幅割り振りマップを送信する手段と
を備える、装置。
【請求項１８】
周期的に、及び周期性時間期間にしたがって、前記生成する手段は、前記アップリンク帯域幅割り振りマップを生成し、前記送信する手段は、前記アップリンク帯域幅割り振りマップを送信する、請求項１７の装置。
【請求項１９】
アップリンク伝送ウィンドウのためのアップリンク伝送ウィンドウ長を選択する手段と、
前記アップリンク伝送ウィンドウの前に、前記１つまたは複数のＵＥの少なくとも１つに前記アップリンク伝送ウィンドウ長を送信する手段と
を更に備える、請求項１７の装置。
【請求項２０】
前記アップリンク伝送ウィンドウ長は、前記ネットワークエンティティに関連付けられた複数の前記１つまたは複数のＵＥに少なくとも部分的に基づいて、前記選択する手段によって選択される、請求項１９の装置。
【請求項２１】
前記アップリンク伝送ウィンドウ長は、前記１つまたは複数のＵＥに対応するＵＥのアップリンクロードに少なくとも部分的に基づいて、前記選択する手段によって選択される、請求項１９の装置。
【請求項２２】
複数の前記１つまたは複数のＵＥが前記アップリンク帯域幅割り振りマップにしたがって帯域幅を共有すべきと決定する手段と、
前記複数の前記１つまたは複数のＵＥの少なくとも１つによるアップリンク伝送の符号分割多重化を可能にするために、前記複数の前記１つまたは複数のＵＥの少なくとも１つのための一意のコードを生成する手段と、
前記複数の前記１つまたは複数のＵＥの少なくとも１つに前記一意のコードを送信する手段と
を更に備える、請求項１７の装置。
【請求項２３】
前記アップリンク帯域幅割り振りは、隣接する帯域幅の割り振りである、請求項１７の装置。
【請求項２４】
前記アップリンク帯域幅割り振りは、複数の不連続の帯域幅の範囲の割り振りを備える、請求項１７の装置。
【請求項２５】
ワイヤレス通信におけるネットワークエンティティによってサービス提供される１つまたは複数のＵＥのためのアップリンクスケジューリングを管理するためのコンピュータ実行可能コードを記憶する非一時的コンピュータ可読媒体であって、前記コードは、
前記ネットワークエンティティによって、アップリンク帯域幅割り振りマップを生成することと、前記アップリンク帯域幅割り振りマップは、複数のアップリンク伝送ウィンドウ長の少なくとも１つについての前記１つまたは複数のＵＥの少なくとも１つのためのアップリンク帯域幅割り振りを定義し、
前記１つまたは複数のＵＥの少なくとも１つに前記アップリンク帯域幅割り振りマップを送信することと
を実行可能な命令を備える、非一時的コンピュータ可読媒体。
【請求項２６】
前記生成することと送信することとを実行可能な前記命令は、周期的に、及び周期性時間期間にしたがって実行される、請求項２５のコンピュータ可読媒体。
【請求項２７】
前記コードは、
アップリンク伝送ウィンドウのためのアップリンク伝送ウィンドウ長を選択することと、
前記アップリンク伝送ウィンドウの前に、前記１つまたは複数のＵＥの少なくとも１つに前記アップリンク伝送ウィンドウ長を送信することと
を実行可能な命令を更に備える、請求項２５のコンピュータ可読媒体。
【請求項２８】
前記アップリンク伝送ウィンドウ長を選択することを実施可能な前記命令は、前記ネットワークエンティティに関連付けられた複数の前記１つまたは複数のＵＥに少なくとも部分的に基づいて前記アップリンク伝送ウィンドウ長を選択することを実施可能である、請求項２７のコンピュータ可読媒体。
【請求項２９】
前記アップリンク伝送ウィンドウ長を選択することを実施可能な前記命令は、前記１つまたは複数のＵＥに対応するＵＥのアップリンクロードに少なくとも部分的に基づいて前記アップリンク伝送ウィンドウ長を選択することを実施可能である、請求項２７のコンピュータ可読媒体。
【請求項３０】
前記コードは、
複数の前記１つまたは複数のＵＥが前記アップリンク帯域幅割り振りマップにしたがって帯域幅を共有すべきと決定することと、
前記複数の前記１つまたは複数のＵＥの少なくとも１つによるアップリンク伝送の符号分割多重化を可能にするために、前記複数の前記１つまたは複数のＵＥの少なくとも１つのための一意のコードを生成することと、
前記複数の前記１つまたは複数のＵＥの少なくとも１つに前記一意のコードを送信することと
を実行可能な命令を更に備える、請求項２５のコンピュータ可読媒体。
【発明の詳細な説明】
【関連出願への相互参照】
【０００１】
[0001]本願は、参照により本明細書にその全てが明白に組み込まれる、２０１４年１１月７日に出願された「UPLINK CONTROL RESOURCE ALLOCATION FOR DYNAMIC TIME-DIVISION DUPLEX SYSTEMS」と題された米国仮出願第６２／０７７，１１２号、及び２０１５年１０月２日に出願された「UPLINK CONTROL RESOURCE ALLOCATION FOR DYNAMIC TIME-DIVISION DUPLEX SYSTEMS」と題された米国出願第１４／８７４，１６０号の優先権を主張する。
【背景技術】
【０００２】
[0002]本開示は、一般的には通信システムに関し、より具体的には、ワイヤレス通信システムにおけるアップリンク制御リソース割り振り方法及び装置に関する。
【０００３】
[0003]ワイヤレス通信システムは、電話通信、ビデオ、データ、メッセージング、及びブロードキャストのような様々な電気通信サービスを提供するために広く展開されている。典型的なワイヤレス通信システムは、利用可能なシステムリソース（例えば、帯域幅、送信電力）を共有することによって、複数のユーザとの通信をサポートすることが可能な多元接続技術を用い得る。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、及び時分割同期符号分割多元接続（ＴＤ−ＳＣＤＭＡ：time division synchronous code division multiple access）システムを含む。
【０００４】
[0004]これらの多元接続技術は、異なる複数のワイヤレスデバイスが、都市、国家、地域、及び地球規模でさえ通信することを可能にする共通プロトコルを提供するために、様々な電気通信規格において採用されてきた。新興の電気通信規格の例は、ロングタームエボリューション（ＬＴＥ（登録商標））である。ＬＴＥは、第３世代パートナーシッププロジェクト（３ＧＰＰ（登録商標））によって公表されたユニバーサルモバイル電気通信システム（ＵＭＴＳ）のモバイル規格の拡張セットである。それは、スペクトル効率を改善することによってモバイルブロードバンドインターネットアクセスをより良くサポートし、コストを下げ、サービスを改善し、新たなスペクトルを利用し、ダウンリンク（ＤＬ）上においてＯＦＤＭＡを、アップリンク（ＵＬ）上においてＳＣ−ＦＤＭＡを、及び多入力多出力（ＭＩＭＯ）アンテナ技術を用いて、他のオープン規格とより良く統合するよう設計される。しかしながら、モバイルブロードバンドアクセスに対する需要が増大し続けるにつれ、ＬＴＥ技術におけるさらなる改善の必要性が存在する。望ましくは、これらの改善は、これらの技術を用いる他の多元接続技術及び電気通信規格に適用可能であるべきである。
【０００５】
[0005]レガシーＬＴＥを用いたワイヤレス通信システムでは、特定のネットワークエンティティ（例えばｅノードＢ）によってサービス提供される複数のＵＥは、共有物理ダウンリンク制御チャネル（ＰＤＣＣＨ）上で、ｅノードＢから制御情報を受信し得る。ＰＤＣＣＨに含まれる制御情報は、将来のＬＴＥアップリンク伝送ウィンドウにおけるアップリンクデータのＵＥ伝送のための１つまたは複数のアップリンクリソースグラントを含み得る。しかしながら、制御情報がアップリンクでＵＥによって送信される際、各アップリンク制御情報伝送につき動的な付与を送信することは、ネットワークエンティティにとってしばしば非効率である。更に、動的なアップリンク伝送ウィンドウ長を知ること無く固定されたリソース（時間及び周波数において）を予め割り振ることは、同様にシステムの非効率性を導く。
【０００６】
[0006]このように、これらの本非効率性を低減するために、アップリンク制御リソース割り振りの改善が必要とされている。
【発明の概要】
【０００７】
[0007]以下は、そのような態様の基本的な理解を提供するために、１つまたは複数の態様の簡略化された概要を提示する。この概要は、全ての考慮された態様の広範な概観ではなく、全ての態様の鍵となる要素または重要な要素を特定することも、任意の態様または全ての態様の範囲の輪郭を描くことも意図されない。その唯一の目的は、１つまたは複数の態様のいくつかの概念を、後に提示されるより詳細な説明への前置きとして、簡潔なかたちで提示することである。
【０００８】
[0008]１つまたは複数の態様及び対応するそれらの開示にしたがって、ワイヤレス通信システムにおけるユーザ機器通信を管理するための方法例及び装置例に関連して、様々な技術が説明される。
【０００９】
[0009]例えば本開示は、ワイヤレス通信システムにおけるネットワークエンティティによってサービス提供される１つまたは複数のＵＥのためのアップリンクスケジューリングを管理する方法例を提示する。この方法例は、ネットワークエンティティによってアップリンク帯域幅割り振りマップを生成することを含み得、アップリンク帯域幅割り振りマップは、複数のアップリンク伝送ウィンドウ長の少なくとも１つについての１つまたは複数のＵＥの少なくとも１つのためのアップリンク帯域幅割り振りを定義する。更にこの方法例は、１つまたは複数のＵＥの少なくとも１つにアップリンク帯域幅割り振りマップを送信することを含み得る。
【００１０】
[0010]更なる態様では、本開示は、ワイヤレス通信システムにおけるネットワークエンティティによってサービス提供される１つまたは複数のＵＥのためのアップリンクスケジューリングを管理するための装置例を提示する。装置例は、プロセッサと、プロセッサと電子通信するメモリと、メモリに記憶された命令とを含み得る。一態様では、命令は、ネットワークエンティティによって、アップリンク帯域幅割り振りマップを生成することと、アップリンク帯域幅割り振りマップは、複数のアップリンク伝送ウィンドウ長の少なくとも１つについての１つまたは複数のＵＥの少なくとも１つのためのアップリンク帯域幅割り振りを定義し、１つまたは複数のＵＥの少なくとも１つにアップリンク帯域幅割り振りマップを送信することとを行うようにプロセッサによって実行可能であり得る。
【００１１】
[0011]更に本開示は、ワイヤレス通信システムにおけるネットワークエンティティによってサービス提供される１つまたは複数のＵＥのためのアップリンクスケジューリングを管理するための装置例を更に提示する。一態様において装置例は、ネットワークエンティティによって、アップリンク帯域幅割り振りマップを生成する手段を含み得、アップリンク帯域幅割り振りマップは、複数のアップリンク伝送ウィンドウ長の少なくとも１つについての１つまたは複数のＵＥの少なくとも１つのためのアップリンク帯域幅割り振りを定義する。更に装置例は、１つまたは複数のＵＥの少なくとも１つにアップリンク帯域幅割り振りマップを送信する手段を含み得る。
【００１２】
[0012]更なる態様において、本開示は、ワイヤレス通信におけるネットワークエンティティによってサービス提供される１つまたは複数のＵＥのためのアップリンクスケジューリングを管理するためのコンピュータ実行可能コードを記憶する非一時的コンピュータ可読媒体を提示する。コードは、ネットワークエンティティによって、アップリンク帯域幅割り振りマップを生成することと、アップリンク帯域幅割り振りマップは、複数のアップリンク伝送ウィンドウ長の少なくとも１つについての１つまたは複数のＵＥの少なくとも１つのためのアップリンク帯域幅割り振りを定義し、１つまたは複数のＵＥの少なくとも１つにアップリンク帯域幅割り振りマップを送信することとを実行可能な命令を含み得る。
【００１３】
[0013]更に本開示は、ＵＥによって行われ得るワイヤレス通信方法を説明する。方法例は、ネットワークエンティティから、アップリンク帯域幅割り振りマップを受信することを含み得、アップリンク帯域幅割り振りマップは、複数のアップリンク伝送ウィンドウ長の少なくとも１つについてのＵＥのためのアップリンク帯域幅割り振りを定義する。方法は更に、アップリンク帯域幅割り振りマップをメモリに記憶することを含み得る。更に方法は、ネットワークエンティティから、アップリンク帯域幅割り振りマップを受信した後に、アップリンク伝送ウィンドウからのアップリンク伝送ウィンドウ長を受信することを含み得る。更に方法は、受信されたアップリンク伝送ウィンドウ長に対応するアップリンク帯域幅割り振りを決定するために、メモリにおけるアップリンク帯域幅割り振りマップを照会（querying）することを含み得る。方法は更に、アップリンク帯域幅割り振りに基づくウィンドウ長の期間、制御信号を送信することを含み得る。
【００１４】
[0014]上述した目的及び関連する目的の達成のために、１つまたは複数の態様は、本明細書において後に十分に説明され、特許請求の範囲内において特に指摘される特徴から構成される。以下の説明及び添付図面は、１つまたは複数の態様のある例示的な特徴を詳細に説明する。しかしながら、これらの特徴は、様々な態様の原理が用いられ得る様々な手法のほんの一部を示すものであり、この説明は、そのような全ての態様及びそれらの均等物を含むことを意図する。
【図面の簡単な説明】
【００１５】
【図１】[0015]図１は、本開示の態様にしたがって、電気通信システムの例を概念的に例示するブロック図を示す。
【図２】[0016]図２は、アクセスネットワークの例を例示する図である。
【図３】[0017]図３は、ＬＴＥにおけるＤＬフレーム構造の例を例示する図である。
【図４】[0018]図４は、ＬＴＥにおけるＵＬフレーム構造の例を例示する図である。
【図５】[0019]図５は、ユーザ及び制御プレーンのための無線プロトコルアーキテクチャの例を例示する図である。
【図６】[0020]図６は、アクセスネットワークにおける発展型ノードＢ及びユーザ機器の例を例示する図である。
【図７Ａ】[0021]図７Ａは、本開示にしたがったアップリンク帯域幅割り振りのためのアップリンク帯域幅割り振りマップ例を例示する図である。
【図７Ｂ】[0022]図７Ｂは、本開示にしたがったアップリンク帯域幅割り振りのためのアップリンク帯域幅割り振りマップ例を例示する図である。
【図８】[0023]図８は、本開示の態様を実装するように構成されたアップリンクスケジューリングコンポーネントを例示する図である。
【図９】[0024]図９は、アップリンク帯域幅割り振りの方法のフローチャートである。
【図１０】[0025]図１０は、例証的な装置における、異なるモジュール／手段／コンポーネント間でのデータフローを例示する概念的なデータフロー図である。
【図１１】[0026]図１１は、処理システムを用いる装置のためのハードウェア実装の例を例示する図である。
【図１２】[0027]図１２は、本開示の態様を実装するように構成されたアップリンク管理コンポーネントを例示する図である。
【図１３】[0028]図１３は、アップリンク帯域幅管理の方法のフローチャートである。
【図１４】[0029]図１４は、例証的な装置における、異なるモジュール／手段／コンポーネント間でのデータフローを例示する概念的なデータフロー図である。
【図１５】[0030]図１５は、処理システムを用いる装置のためのハードウェア実装の例を例示する図である。
【発明を実施するための形態】
【００１６】
[0031]添付された図面に関連して、以下に記載の詳細な説明は、様々な構成の説明として意図され、本明細書において説明される概念が実現されうる唯一の構成を表すことを意図されない。詳細な説明は、様々な概念の十分な理解を提供することを目的とした特定の詳細を含む。しかしながら、これらの概念がこれらの特定の詳細なしに実現され得ることは当業者にとって明らかであろう。いくつかの事例において、よく知られている構造及びコンポーネントは、そのような概念を曖昧にすることを避けるために、ブロック図形式で示される。
【００１７】
[0032]ここでは、電気通信システムのいくつかの態様が、様々な装置及び方法に関連して提示される。これらの装置及び方法は、以下の詳細な説明において説明され、添付の図面において、様々なブロック、モジュール、コンポーネント、回路、ステップ、処理、アルゴリズムなど（「要素」と総称される）により例示される。これらの要素は、電子ハードウェア、コンピュータソフトウェア、またはそれらの組み合わせを用いて実装され得る。そのような要素がハードウェアとしてまたはソフトウェアとして実装されるかどうかは、具体的なアプリケーション及びシステム全体上に課せられる設計制約に依存する。
【００１８】
[0033]例として、要素、または要素の任意の一部、または要素の任意の組み合わせは、１つまたは複数のプロセッサを含む「処理システム」で実装され得る。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲートロジック、ディスクリートハードウェア回路、及びこの開示全体を通して説明される様々な機能性を行うように構成された他の適したハードウェアを含む。処理システムにおける１つまたは複数のプロセッサは、ソフトウェアを実行し得る。ソフトウェアは、ソフトウェア、ファームウェア、ミドルウェア、マイクロコード、ハードウェア記述言語、または別の名称で呼ばれるかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。
【００１９】
[0034]よって、１つまたは複数の態様において、説明された機能は、ハードウェア、ソフトウェア、ファームウェア、またはそれらの任意の組み合わせにより実装され得る。ソフトウェアで実装される場合、機能は、コンピュータ可読媒体に記憶され、または１つまたは複数の命令またはコードとして、コンピュータ可読媒体に符号化され得る。コンピュータ可読媒体は、コンピュータ記憶媒体を含む。記憶媒体は、コンピュータによってアクセスされることができる任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは命令またはデータ構造の形で所望のプログラムコードを搬送または記憶するために使用されることができ、コンピュータによってアクセスされることができる任意の他の媒体を含むことができる。本明細書で用いられるディスク（disk）及びディスク（disc）は、コンパクトディスク（ＣＤ）、レーザーディスク（登録商標）、光学ディスク、デジタルバーサタイルディスク（ＤＶＤ）、及びフロッピー（登録商標）ディスクを含み、ディスク（disk）は通常、データを磁気的に再生し、ディスク（disc）は、データをレーザで光学的に再生する。上記の組み合わせはまた、コンピュータ可読媒体の範囲内に含まれるべきである。
【００２０】
[0035]本開示は、アップリンク制御伝送のためのリソース割り振りを管理するための方法及び装置例を提示する。例えば、本開示の態様では、サービス提供しているネットワークエンティティによって指定されたアップリンク伝送ウィンドウ長の関数である可変帯域幅リソースを、アップリンク帯域幅割り振りマップ（本明細書では「マップ」とも呼ばれる）を介して、ＵＥが割り当てられ得る。言い換えれば、ＵＥについて指定されたアップリンク帯域幅割り振りは、指定されたウィンドウ長に基づいて、それぞれのアップリンク伝送ウィンドウにつき異なり得る。一態様では、このウィンドウ長は時間と共に変わり得る。言い換えれば、ウィンドウ長は、時間と共に可変サイズの伝送時間インターバル（variable-sized transmission time intervals（ＴＴＩ））を形成するためにアグリゲートされ得る１つまたは複数のシンボルを含み得る。
【００２１】
[0036]更にネットワークエンティティは、半静的（semi-static basis）に、アップリンク帯域幅割り振りマップを生成し、その関連付けられたＵＥのそれぞれに、またはアップリンク伝送に関してスケジュールされ得るＵＥのサブセットに、送信し得る。言い換えれば、アップリンク伝送ウィンドウの各々につきマップを送信するよりもむしろ、ネットワークエンティティは周期的（periodic basis）にマップを送信し得、マップ伝送の周期性は、ウィンドウ毎よりも低頻度である（例えば、１００ｍｓ毎に１回）。更に、最新に受信したマップは、ＵＥメモリに記憶され得る。
【００２２】
[0037]更に、各伝送ウィンドウの前に、ネットワークエンティティからＵＥは、各伝送ウィンドウに対応する伝送ウィンドウ長を受信し得る。そしてＵＥは、受信された伝送ウィンドウ長を、伝送ウィンドウについての具体的なアップリンク帯域幅割り振りにマッチさせるために、ＵＥメモリに記憶されたマップを照会し得る。このように、アップリンク帯域幅は、伝送ウィンドウ毎基準（per-uplink bandwidth basis）で受信された伝送ウィンドウ長に単に基づき、ＵＥが受信された伝送ウィンドウ長を記憶されたアップリンク帯域幅割り振りマップと相互参照することにより割り振られ得、アップリンク帯域幅割り振りマップは、半静的に、ネットワークエンティティによって更新され、ＵＥに送信され、そしてＵＥメモリに記憶され得る。
【００２３】
[0038]まず図１を参照すると、図は、本開示の態様にしたがったワイヤレス通信システム１００の例を例示している。ワイヤレス通信システム１００は、複数のアクセスポイント（例えば基地局、ｅＮＢ、ＷＬＡＮアクセスポイント）１０５、いくつかのユーザ機器（ＵＥ）１１５、及びコアネットワーク１３０を含む。アクセスポイント１０５は、半静的に、アップリンク帯域幅割り振りマップを生成して、１つまたは複数のＵＥに送信することにより、１つまたは複数のＵＥのアップリンク帯域幅割り振りを制御するように構成されたアップリンクスケジューリングコンポーネント６０２を含み得る。同様に、ＵＥ１１５の１つまたは複数は、周期的にアップリンク帯域幅割り振りマップを受信し、受信したアップリンク伝送ウィンドウ長に基づいてアップリンク帯域幅割り振りを決定するために、アップリンク伝送ウィンドウ毎にマップを参照するように構成されたアップリンク管理コンポーネント６６１を含み得る。アクセスポイント１０５のいくつかは、基地局コントローラ（図示せず）の制御の下、ＵＥ１１５と通信し得、基地局コントローラは、様々な例において、あるアクセスポイント１０５（例えば、基地局またはｅＮＢ）またはコアネットワーク１３０の一部であり得る。アクセスポイント１０５は、バックホールリンク１３２を通じてコアネットワーク１３０と制御情報及び／またはユーザデータを通信し得る。例において、アクセスポイント１０５は、直接または間接的に、バックホールリンク１３４で互いに通信し得、バックホールリンク１３４は有線またはワイヤレス通信リンクであり得る。ワイヤレス通信システム１００は、複数のキャリア（異なる周波数の波形信号）での動作をサポートし得る。マルチキャリア送信機は、同時に複数のキャリアで変調信号を送信することができる。例えば各通信リンク１２５は、上で説明された様々な無線技術にしたがって変調されたマルチキャリア信号であり得る。各変調信号は、異なるキャリアで送られ得、そして制御情報（例えば基準信号、制御チャネルなど）、オーバーヘッド情報、データなどを搬送し得る。
【００２４】
[0039]いくつかの例では、ワイヤレス通信システム１００の少なくとも一部が、ＵＥ１１５の１つまたは複数及びアクセスポイント１０５の１つまたは複数が、別の階層レイヤに関して、低減されたレイテンシを有する階層レイヤでの伝送をサポートするように構成され得る複数の階層レイヤで動作するように構成され得る。いくつかの例では、ハイブリッドＵＥ１１５−ａは、第１シンボルタイプでの第１レイヤ伝送をサポートする第１階層レイヤと、第２シンボルタイプでの第２レイヤ伝送をサポートする第２階層レイヤの両方でアクセスポイント１０５−ａと通信し得る。例えばアクセスポイント１０５−ａは、第１シンボルタイプのシンボルと時分割複信された第２シンボルタイプのシンボルを送信し得る。
【００２５】
[0040]いくつかの例では、ハイブリッドＵＥ１１５−ａは、例えばＨＡＲＱスキームを通じた伝送についてのＡＣＫ／ＮＡＣＫを提供することにより、伝送の受信に応答し得る。第１階層レイヤでの伝送についてのハイブリッドＵＥ１１５−ａからの肯定応答（acknowledgment）は、いくつかの例では、伝送が受信されたシンボル（またはシンボルのグループ）に続く予め定義された数のシンボルの後に提供され得る。ハイブリッドＵＥ１１５−ａは、第２階層レイヤで動作している際には、例えば伝送が受信されたシンボル（またはシンボルのグループ）と同じシンボル（またはシンボルのグループ）で受信に応答し得る。ＡＣＫ／ＮＡＣＫの送信、及び再伝送の受信に要する時間は、ラウンドトリップタイム（ＲＴＴ：round trip time）と呼ばれ得、よって第２シンボルタイプのシンボルは、第１シンボルタイプのシンボルについてのＲＴＴよりも短い第２ＲＴＴを有し得る。
【００２６】
[0041]他の例では、第２レイヤのＵＥ１１５−ｂは第２階層レイヤのみでアクセスポイント１０５−ｂと通信し得る。よって、ハイブリッドＵＥ１１５−ａ及び第２レイヤのＵＥ１１５−ｂは、第２階層レイヤで通信し得るＵＥ１１５の第２のクラスに属し、他方でレガシーＵＥ１１５は、第１階層レイヤのみで通信し得るＵＥ１１５の第１クラスに属し得る。アクセスポイント１０５−ｂ及びＵＥ１１５−ｂは、第２シンボルタイプのシンボルの伝送を通じて第２階層レイヤで通信し得る。アクセスポイント１０５−ｂは、第２シンボルタイプのシンボルをもっぱら送信し、または第２シンボルタイプのシンボルと時分割多重化された第１シンボルタイプの１つまたは複数のシンボルを第１階層レイヤで送信し得る。第２レイヤのＵＥ１１５−ｂは、アクセスポイント１０５−ｂが第１シンボルタイプのシンボルを送信する場合には、第１シンボルタイプのそのようなシンボルを無視し得る。よって、第２レイヤのＵＥ１１５−ｂは、伝送が受信されたシンボル（またはシンボルのグループ）と同じシンボル（またはシンボルのグループ）で伝送の受信に応答し得る。よって、第２レイヤのＵＥ１１５−ｂは、第１階層レイヤで動作するＵＥ１１５に比べて低減されたレイテンシで動作し得る。
【００２７】
[0042]アクセスポイント１０５は、１つまたは複数のアクセスポイントアンテナを介して、ＵＥ１１５とワイヤレスで通信し得る。アクセスポイント１０５のサイトの各々は、それぞれのカバレッジエリア１１０のための通信カバレッジを提供し得る。いくつかの例においてアクセスポイント１０５は、トランシーバ基地局、無線基地局、無線トランシーバ、ベーシックサービスセット（ＢＳＳ）、拡張サービスセット（ＥＳＳ）、ノードＢ、ｅノードＢ、ホームノードＢ、ホームｅノードＢ、または他のいくつかの適した用語で呼ばれ得る。基地局についてのカバレッジエリア１１０は、カバレッジエリアの一部のみを作り出すセクタ（図示せず）に分割され得る。ワイヤレス通信システム１００は、異なるタイプのアクセスポイント１０５（例えば、マクロ、マイクロ、及び／またはピコ基地局）を含み得る。アクセスポイント１０５はまた、セルラ及び／またはＷＬＡＮ無線アクセス技術のような異なる無線技術を利用し得る。アクセスポイント１０５は、同じまたは異なるアクセスネットワークまたはオペレータ展開に関連付けられ得る。同じまたは異なるタイプのアクセスポイント１０５のカバレッジエリアを含み、同じまたは異なる無線技術を利用し、及び／または、同じまたは異なるアクセスネットワークに属する異なるアクセスポイント１０５のカバレッジエリアは、オーバーラップし得る。
【００２８】
[0043]ＬＴＥ／ＬＴＥ−Ａネットワーク通信システムでは、発展型ノードＢ（eノードＢまたはｅＮＢ）という用語は一般的に、アクセスポイント１０５を説明するために用いられ得る。ワイヤレス通信システム１００は、異なるタイプのアクセスポイントが様々な地理的領域にカバレッジを提供する異種ＬＴＥ／ＬＴＥ−Ａネットワークであり得る。例えば、各アクセスポイント１０５は、マクロセル、ピコセル、フェムトセル、及び／または他のタイプのセルのための通信カバレッジを提供し得る。ピコセル、フェムトセル、及び／または他のタイプのセルのようなスモールセルは、低電力ノードすなわちＬＰＮを含み得る。マクロセルは一般的に、比較的大きい地理的エリア（例えば、半径数キロメートル）をカバーし、ネットワークプロバイダとの、サービスに加入しているＵＥ１１５による無制限のアクセスを可能にし得る。スモールセルは一般的に、比較的小さい地理的エリアをカバーし、ネットワークプロバイダとの、サービスに加入しているＵＥ１１５による無制限のアクセスを可能にし、例えば無制限のアクセスに加えて、スモールセルとの関連を有するＵＥ１１５（例えば、クローズド加入者グループ（ＣＳＧ）中のＵＥ、家の中にいるユーザのためのＵＥなど）による制限されたアクセスも提供し得る。マクロセルについてのｅＮＢは、マクロｅＮＢと呼ばれ得る。スモールセルについてのｅＮＢは、スモールセルｅＮＢと呼ばれ得る。ｅＮＢは、１つまたは複数（例えば、２つ、３つ、４つなど）のセルをサポートし得る。
【００２９】
[0044]コアネットワーク１３０は、バックホール１３２（例えば、Ｓ１インターフェースなど）を介して、ｅＮＢまたは他のアクセスポイント１０５と通信し得る。アクセスポイント１０５はまた、例えばバックホールリンク１３４（例えば、Ｘ２インターフェースなど）を介して及び／またはバックホールリンク１３２を介して（例えば、コアネットワーク１３０を通じて）、直接または間接的に互いに通信し得る。ワイヤレス通信ネットワークシステム１００は、同期または非同期動作をサポートし得る。同期動作では、アクセスポイント１０５は類似のフレームタイミングを有し得、異なるアクセスポイント１０５からの伝送が時間的にほぼ揃えられ得る。非同期動作では、アクセスポイント１０５は異なるフレームタイミングを有し得、異なるアクセスポイント１０５からの伝送が時間的に揃えられないことがある。更に、第１階層レイヤ及び第２階層レイヤでの伝送は、アクセスポイント１０５間で同期されても良いし、されなくても良い。本明細書で説明される技術は、同期または非同期動作のいずれかに対して用いられ得る。
【００３０】
[0045]ＵＥ１１５は、ワイヤレス通信システム１００全体にわたって分散され得、各ＵＥ１１５は固定式またはモバイルであり得る。ＵＥ１１５はまた、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、またはいくつかの他の適切な用語で呼ばれ得る。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、腕時計または眼鏡のようなウェアラブルアイテム、ワイヤレスローカルループ（ＷＬＬ）局などであり得る。ＵＥ１１５は、マクロｅノードＢ、スモールセルｅノードＢ、中継器などと通信可能であり得る。ＵＥ１１５はまた、ＷＬＡＮアクセスネットワーク、またはセルラまたは他のＷＷＡＮアクセスネットワークのような異なるアクセスネットワーク上で通信することが可能であり得る。
【００３１】
[0046]ワイヤレス通信システム１００で図示されている通信リンク１２５は、ＵＥ１１５からアクセスポイント１０５へのアップリンク（ＵＬ）伝送、及び／またはアクセスポイント１０５からＵＥ１１５へのダウンリンク（ＤＬ）伝送を含み得る。ダウンリンク伝送は順方向リンク伝送とも呼ばれ得、他方でアップリンク伝送は逆方向リンク伝送とも呼ばれ得る。通信リンク１２５は、いくつかの例では、通信リンク１２５において多重化され得る各階層レイヤの伝送を搬送し得る。ＵＥ１１５は、例えば、多入力多出力（ＭＩＭＯ）、キャリアアグリゲーション（ＣＡ）、多地点協調（ＣｏＭＰ）、または他のスキームを通じて、複数のアクセスポイント１０５と共同して通信するように構成され得る。ＭＩＭＯ技術は、複数のデータストリームを送信するため、アクセスポイント１０５の複数のアンテナ、及び／またはＵＥ１１５の複数のアンテナを使用する。キャリアアグリゲーションは、データの伝送のため、同じまたは異なるサービス提供しているセルで、２つまたはそれ以上のコンポーネントキャリアを利用し得る。ＣｏＭＰは、ネットワーク及びスペクトル利用を増加させることだけでなく、ＵＥ１１５についての全伝送品質を改善させるため、いくつかのアクセスポイント１０５による伝送及び受信の調整のための技術を含み得る。
【００３２】
[0047]述べたように、いくつかの例では、アクセスポイント１０５及びＵＥ１１５は、複数のキャリアで送信するためにキャリアアグリゲーションを用い得る。いくつかの例では、アクセスポイント１０５及びＵＥ１１５は、２つまたはそれ以上の別個のキャリアを用いて、それぞれが第１シンボルタイプを有する１つまたは複数のシンボルを、フレーム内において第１階層レイヤで同時に送信し得る。各キャリアは、例えば２０ＭＨｚの帯域幅を有し得るが、他の帯域幅を用い得る。ハイブリッドＵＥ１１５−ａ及び／または第２レイヤＵＥ１１５−ｂは、ある例では、１つまたは複数の別個のキャリアの帯域幅よりも大きい帯域幅を有する単一のキャリアを用いて、第２階層レイヤで１つまたは複数のシンボルを受信及び／または送信し得る。例えば、もし４つの別個の２０ＭＨｚキャリアが第１階層レイヤのキャリアアグリゲーションで用いられていれば、単一の８０ＭＨｚキャリアが第２階層レイヤで用いられ得る。８０ＭＨｚキャリアは、４つの２０ＭＨｚキャリアの１つまたは複数によって用いられる無線周波数スペクトルと少なくとも部分的にオーバーラップする無線周波数スペクトルの一部を占め得る。いくつかの例では、更に向上されたデータレートを提供するために、上記説明されたようなより短いＲＴＴを提供するための技術が、第２階層レイヤタイプについてのスケーラブルな帯域幅と組み合わされ得る。
【００３３】
[0048]ワイヤレス通信システム１００によって用いられ得る異なる動作モードの各々は、周波数分割複信（ＦＤＤ）または時分割複信（ＴＤＤ）にしたがって動作し得る。いくつかの例では、異なる階層レイヤは、異なるＴＤＤまたはＦＤＤモードにしたがって動作し得る。例えば、第１階層レイヤはＦＤＤにしたがって動作し、他方で第２階層レイヤはＴＤＤに従って動作し得る。いくつかの例では、ＯＦＤＭＡ通信信号が、各階層レイヤにつきＬＴＥダウンリンク伝送のための通信リンク１２５で用いられ、シングルキャリア周波数分割多元接続（ＳＣ−ＦＤＭＡ）通信信号が、各階層レイヤでＬＴＥアップリンク伝送のための通信リンク１２５で用いられ得る。ワイヤレス通信システム１００のようなシステムにおける階層レイヤの実装に関する更なる詳細は、そのようなシステムにおける通信に関する他の特徴及び機能と同様に、以下の図面を参照して下記で提供される。
【００３４】
[0049]図２は、ＬＴＥネットワークアーキテクチャにおけるアクセスネットワーク２００の例を例示する図である。この例では、アクセスネットワーク２００がいくつかのセルラ領域（セル）２０２に分割されている。１つまたは複数のより低電力クラスのｅＮＢ２０８は、セル２０２の１つまたは複数とオーバーラップするセルラ領域２１０を有し得る。より低電力クラスのｅＮＢ２０８は、フェムトセル（例えば、ホームｅＮＢ（ＨｅＮＢ））、ピコセル、マイクロセル、または遠隔無線ヘッド（ＲＲＨ：remote radio head）であり得る。マクロｅＮＢ２０４は各々、それぞれのセル２０２に割り当てられ、セル２０２中の全てのＵＥ２０６につき発展型パケットコア（evolved packet core）へのアクセスポイントを提供するように構成される。一態様では、ｅＮＢ２０４は、半静的に、アップリンク帯域幅割り振りマップを生成して、１つまたは複数のＵＥに送信することにより、１つまたは複数のＵＥのアップリンク帯域幅割り振りを制御するように構成されたアップリンクスケジューリングコンポーネント６０２を含み得る。同様に、ＵＥ２０６の１つまたは複数は、周期的にアップリンク帯域幅割り振りマップを受信し、受信したアップリンク伝送ウィンドウ長に基づいてアップリンク帯域幅割り振りを決定するために、アップリンク伝送ウィンドウ毎にマップを参照するように構成されたアップリンク管理コンポーネント６６１を含み得る。アクセスネットワーク２００のこの例では集中コントローラ（centralized controller）は無いが、代替の構成では集中コントローラが用いられ得る。ｅＮＢ２０４は、無線ベアラ制御、アドミッション制御、モビリティ制御、スケジューリング、セキュリティ、及びサービングゲートウェイ１１６への接続性を含む、全ての無線関連機能を担う。
【００３５】
[0050]アクセスネットワーク２００によって用いられる変調及び多元接続スキームは、展開されている特定の電気通信規格に依存して異なり得る。ＬＴＥアプリケーションにおいては、周波数分割複信（ＦＤＤ）及び時分割複信（ＴＤＤ）の両方をサポートするために、ＯＦＤＭがＤＬで使用され、ＳＣ−ＦＤＭＡがＵＬで使用される。以下の詳細な説明から当業者が容易に理解するように、本明細書に提示される様々な概念は、ＬＴＥアプリケーションに良く適している。しかしながら、これらの概念は、他の変調及び多元接続技術を用いる他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯ及びＵＭＢは、ＣＤＭＡ２０００ファミリー規格の一部として、第３世代パートナーシッププロジェクト２（３ＧＰＰ２）によって公表されたインタフェース規格であり、モバイル局にブロードバンドインターネットアクセスを提供するためにＣＤＭＡを用いる。これらの概念はまた、広帯域ＣＤＭＡ（Ｗ−ＣＤＭＡ（登録商標））、及びＴＤ−ＳＣＤＭＡのようなＣＤＭＡの他の変形例を用いるユニバーサル地上無線アクセス（ＵＴＲＡ）、ＴＤＭＡを用いるモバイル通信のためのグローバルシステム（ＧＳＭ（登録商標））、及びＯＦＤＭＡを用いるフラッシュＯＦＤＭ、ＩＥＥＥ８０２．２０、ＩＥＥＥ８０２．１６（ＷｉＭＡＸ）、ＩＥＥＥ８０２．１１（Ｗｉ−Ｆｉ）、及び発展型ＵＴＲＡ（Ｅ−ＵＴＲＡ）に拡張され得る。ＵＴＲＡ、Ｅ−ＵＴＲＡ、ＵＭＴＳ、ＬＴＥ、及びＧＳＭは、３ＧＰＰの組織からの文書中で説明されている。ＣＤＭＡ２０００及びＵＭＢは、３ＧＰＰ２の組織からの文書中で説明されている。用いられる実際のワイヤレス通信規格及び多元接続技術は、具体的なアプリケーション及びシステム上に課せられる全体的な設計制約に依存するであろう。
【００３６】
[0051]ｅＮＢ２０４は、ＭＩＭＯ技術をサポートする複数のアンテナを有し得る。ＭＩＭＯ技術を用いることは、ｅＮＢ２０４に、空間領域を活用して、空間多重化、ビームフォーミング、及び伝送ダイバーシティをサポートすることを可能にさせる。空間多重化は、同じ周波数上で同時にデータの異なるストリームを送信するために用いられ得る。データストリームは、データレートを増加させるために単一のＵＥ２０６に、または、全体的なシステム容量を増加させるために複数のＵＥ２０６に、送信され得る。これは、各データストリームを空間的にプリコーディングし（すなわち、振幅及び位相のスケーリングを適用し）、その後、ＤＬ上で複数の送信アンテナを通じて各空間的にプリコーディングされたストリームを送信することによって達成される。空間的にプリコーディングされたデータストリームは、異なる空間シグネチャと共にＵＥ２０６（１つまたは複数）へと到達し、それは、ＵＥ２０６（１つまたは複数）の各々が、そのＵＥ２０６を宛先とする１つまたは複数のデータストリームを復元することを可能にする。ＵＬ上において、各ＵＥ２０６は、空間的にプリコーディングされたデータストリームを送信し、それは、ｅＮＢ２０４が、各空間的にプリコーディングされたデータストリームのソースを特定することを可能にする。
【００３７】
[0052]空間多重化は一般的に、チャネル状態が良好な際に用いられる。チャネル状態があまり良好でないときは、１つまたは複数の方向に伝送エネルギーを集中させるために、ビームフォーミングが用いられ得る。これは、複数のアンテナを通じた伝送のためにデータを空間的にプリコーディングすることによって達成され得る。セルの端（edge）で良好なカバレッジを達成するために、単一ストリームのビームフォーミング伝送が、送信ダイバーシティと組み合わせて用いられ得る。
【００３８】
[0053]以下の詳細な説明において、アクセスネットワークの様々な態様が、ＤＬ上でＯＦＤＭをサポートするＭＩＭＯシステムに関連して説明される。ＯＦＤＭは、ＯＦＤＭシンボル内の多くのサブキャリアにわたってデータを変調する拡散スペクトル技術である。サブキャリアは、正確な周波数で間隔が空けられている。間隔を空けることは、受信機が、サブキャリアからのデータを復元することを可能にする「直交性」を提供する。時間領域では、ＯＦＤＭシンボル間干渉に対抗するために、各ＯＦＤＭシンボルにガードインターバル（例えば、サイクリックプリフィックス）が追加され得る。ＵＬは、高いピーク対平均電力比（ＰＡＰＲ）を補償するために、ＤＦＴ拡散されたＯＦＤＭ信号の形態でＳＣ−ＦＤＭＡを用い得る。
【００３９】
[0054]図３は、ＬＴＥにおけるＤＬフレーム構造の例を例示する図３００であり、いくつかの例では、本開示により提供されるダウンリンクフレーム構造と併せて用いられ得る。フレーム（１０ｍｓ）は、１０の等しいサイズのサブフレームに分割され得る。各サブフレームは、２つの連続したタイムスロットを含み得る。リソースグリッドは、２つのタイムスロットを表すために用いられ得、各タイムスロットは、リソース要素ブロックを含む。リソースグリッドは、複数のリソース要素に分割される。ＬＴＥでは、リソース要素ブロックは、周波数領域で１２の連続するサブキャリアと、各ＯＦＤＭシンボルの中の通常のサイクリックプリフィックスでは、時間領域で７の連続するＯＦＤＭシンボルとを包含し、すなわち、８４のリソース要素を包含する。拡張されたサイクリックプリフィックスに対して、リソース要素ブロックは、時間領域で６の連続するＯＦＤＭシンボルを包含し、７２のリソース要素を有する。リソース要素のうちのいくつかは、Ｒ３０２、３０４として示されるように、ＤＬ基準信号（ＤＬ−ＲＳ）を含む。ＤＬ−ＲＳは、セル固有ＲＳ（ＣＲＳ：Cell-specific RS）（共通ＲＳと呼ばれることもある）３０２及びＵＥ固有ＲＳ（ＵＥ−ＲＳ：UE-specific RS）３０４を含む。ＵＥ−ＲＳ３０４は、対応するＰＤＳＣＨがマッピングされるリソース要素ブロックでのみ送信される。各リソース要素によって搬送されるビット数は、変調スキームに依存する。よって、ＵＥが受信するリソース要素ブロックがより多いほど、そして変調スキームがより高度であるほど、ＵＥのデータレートはより高くなる。
【００４０】
[0055]図４は、ＬＴＥにおけるＵＬフレーム構造の例を例示する図４００である。ＵＬに利用可能なリソース要素ブロックは、データセクションと制御セクションとに区分され得る。制御セクションは、システム帯域幅の２つの端で形成され、構成可能（configurable）なサイズを有し得る。制御セクションのリソース要素ブロックは、制御情報の伝送のためにＵＥに割り当てられ、一態様では、半静的にＵＥに送信されるアップリンク帯域幅割り振りマップに基づいて割り当てられ得る。データセクションは、制御セクション中に含まれない全てのリソース要素ブロックを含み得る。ＵＬフレーム構造は、連続するサブキャリアを含むデータセクションをもたらし、それは、単一のＵＥが、データセクション中の連続するサブキャリアの全てを割り当てられることを可能にし得る。
【００４１】
[0056]ＵＥは、例えばアップリンク帯域幅割り振りマップに従って、制御情報をｅＮＢに送信するために、制御セクションにおいて、受信した伝送ウィンドウ長に基づいて変化し得る、リソース要素ブロック４１０ａ、４１０ｂを割り当てられ得る。ＵＥはまた、ｅＮＢにデータを送信するためにデータセクションのリソース要素ブロック４２０ａ、４２０ｂを割り当てられ得る。ＵＥは、制御セクションの割り当てられたリソース要素ブロック上の物理ＵＬ制御チャネル（ＰＵＣＣＨ）で制御情報を送信し得る。ＵＥは、データセクションの割り当てられたリソース要素ブロック上の物理ＵＬ共有チャネル（ＰＵＳＣＨ）でデータのみ、またはデータと制御情報との両方を送信し得る。ＵＬ伝送は、複数のシンボルまたはシンボルのグループをスパン（span）し、周波数間をホップ（hop）し得る。
【００４２】
[0057]リソース要素ブロックのセットは、物理ランダムアクセスチャネル（ＰＲＡＣＨ）４３０で、初期システムアクセスを行い、ＵＬ同期を達成するために用いられ得る。ＰＲＡＣＨ４３０は、ランダムシーケンスを搬送するが、いずれのＵＬデータ／シグナリングも搬送することはできない。各ランダムアクセスプリアンブルは、６つの連続したリソース要素ブロックに対応する帯域幅を占有する。開始周波数は、ネットワークによって指定される。すなわち、ランダムアクセスプリアンブルの伝送は、ある時間及び周波数リソースに制限される。ＰＲＡＣＨでは周波数ホッピングは無い。ＰＲＡＣＨの試み（attempt）は、単一のシンボルまたは数個の連続したシンボルのシーケンスで搬送され得、いくつかの例では、ＵＥは指定された時間期間（これに限定されないが、フレーム毎のように）において、単一のＰＲＡＣＨの試みのみを引き起こし得る。
【００４３】
[0058]図５は、ＬＴＥにおけるユーザ及び制御プレーンのための無線プロトコルアーキテクチャの例を例示する図５００である。ＵＥ及びｅＮＢのための無線プロトコルアーキテクチャは、３つのレイヤ：レイヤ１、レイヤ２、及びレイヤ３で表示される。レイヤ１（Ｌ１レイヤ）は最下位のレイヤであり、様々な物理レイヤ信号処理機能を実装する。Ｌ１レイヤは、本明細書では物理レイヤ５０６と呼ばれる。レイヤ２（Ｌ２レイヤ）５０８は、物理レイヤ５０６より上位にあり、物理レイヤ５０６上でＵＥとｅＮＢとの間のリンクを担う。
【００４４】
[0059]ユーザプレーンにおいて、Ｌ２レイヤ５０８は、媒体アクセス制御（ＭＡＣ）サブレイヤ５１０、無線リンク制御（ＲＬＣ）サブレイヤ５１２、及びパケットデータコンバージェンスプロトコル（ＰＤＣＰ）５１４サブレイヤを含み、それらは、ネットワーク側のｅＮＢで終端される。示されていないが、ＵＥは、ネットワーク側のＰＤＮゲートウェイ１１８で終端されるネットワークレイヤ（例えば、ＩＰレイヤ）、及び接続の他端（例えば、遠端ＵＥ、サーバなど）で終端されるアプリケーションレイヤを含む、Ｌ２レイヤ５０８よりも上位のいくつかの上位レイヤを有しうる。
【００４５】
[0060]ＰＤＣＰサブレイヤ５１４は、異なる無線ベアラと論理チャネルとの間での多重化を提供する。ＰＤＣＰサブレイヤ５１４はまた、無線伝送オーバーヘッドを低減するための上位レイヤデータパケットのためのヘッダ圧縮、データパケットを暗号化することによるセキュリティ、及びｅＮＢ間のＵＥのためのハンドオーバサポートを提供する。ＲＬＣサブレイヤ５１２は、上位レイヤデータパケットのセグメンテーション及びリアセンブリ、損失データパケットの再送、及びハイブリッド自動再送要求（ＨＡＲＱ）により順序が乱れた受信（out-of-order reception）を補償するためのデータパケットの並べ替え（reordering）を提供する。ＭＡＣサブレイヤ５１０は、論理チャネルとトランスポートチャネルとの間での多重化を提供する。ＭＡＣサブレイヤ５１０はまた、ＵＥの間で１つのセルの様々な無線リソース（例えば、リソース要素ブロック）を割り振ることを担う。ＭＡＣサブレイヤ５１０はまた、ＨＡＲＱ動作を担う。
【００４６】
[0061]制御プレーンにおいて、ＵＥ及びｅＮＢのための無線プロトコルアーキテクチャは、制御プレーンではヘッダ圧縮機能がないという点を除き、物理レイヤ５０６及びＬ２レイヤ５０８の場合と実質的に同一である。制御プレーンはまた、レイヤ３（Ｌ３レイヤ）に無線リソース制御（ＲＲＣ）サブレイヤ５１６を含む。ＲＲＣサブレイヤ５１６は、無線リソース（すなわち、無線ベアラ）を取得することと、ｅＮＢ及びＵＥ間でＲＲＣシグナリングを用いてより下位のレイヤを構成することとを担う。
【００４７】
[0062]図６は、アクセスネットワークにおいてＵＥ６５０と通信するｅＮＢ６１０のブロック図である。ＤＬでは、コアネットワークからの上位レイヤパケットが、コントローラ／プロセッサ６７５に提供される。コントローラ／プロセッサ６７５は、Ｌ２レイヤの機能を実現する。ＤＬにおいて、コントローラ／プロセッサ６７５は、様々な優先度メトリックに基づいたＵＥ６５０への無線リソース割り振り、論理チャネルとトランスポートチャネルとの間での多重化、パケットセグメンテーション及び並び替え、暗号化、及びヘッダ圧縮を提供する。コントローラ／プロセッサ６７５はまた、ＨＡＲＱ動作、損失パケットの再送、及びＵＥ６５０へのシグナリングを担う。
【００４８】
[0063]送信（ＴＸ）プロセッサ６１６は、Ｌ１レイヤ（すなわち、物理レイヤ）のための様々な信号処理機能を実装する。信号処理機能は、ＵＥ６５０での前方誤り訂正（ＦＥＣ）を容易にするためにコーディング及びインターリーブすることと、様々な変調スキーム（例えば、二位相偏移変調（ＢＰＳＫ）、四位相偏移変調（ＱＰＳＫ）、Ｍ位相偏移変調（Ｍ−ＰＳＫ）、Ｍ値直交振幅変調（Ｍ−ＱＡＭ））に基づいて信号コンステレーション（signal constellations）にマッピングすることとを含む。コーディング及び変調されたシンボルは、その後、並行なストリームに分けられる。各ストリームはその後、時間ドメインＯＦＤＭシンボルストリームを搬送する物理チャネルを作り出するために、ＯＦＤＭサブキャリアにマッピングされ、時間及び／または周波数ドメインで基準信号（例えば、パイロット）と多重化され、その後、逆高速フーリエ変換（ＩＦＦＴ）を使用してともに組み合わされる。ＯＦＤＭストリームは、複数の空間ストリームを作り出するために空間的にプリコーディングされる。チャネル推定器６７４からのチャネル推定値は、空間処理のためと同様に、コーディング及び変調スキームを決定するために用いられ得る。チャネル推定値は、ＵＥ６５０によって送信された基準信号及び／またはチャネル状態フィードバックから導出され得る。そして、各空間ストリームは、別個の送信機６１８ＴＸを介して異なるアンテナ６２０に提供される。各送信機６１８ＴＸは、伝送のためにそれぞれの空間ストリームでＲＦキャリアを変調する。更に、ｅＮＢ６１０は、半静的に、アップリンク帯域幅割り振りマップを生成して、１つまたは複数のＵＥに送信することにより、１つまたは複数のＵＥのアップリンク帯域幅割り振りを制御するように構成されたアップリンクスケジューリングコンポーネント６０２を含み得る。
【００４９】
[0064]ＵＥ６５０では、各受信機６５４ＲＸは、そのそれぞれのアンテナ６５２を通じて信号を受信する。各受信機６５４ＲＸは、ＲＦキャリア上で変調された情報を復元し、受信機（ＲＸ）プロセッサ６５６に情報を提供する。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を行う。複数の空間ストリームがＵＥ６５０に宛てられる場合、それらは、ＲＸプロセッサ６５６によって単一のＯＦＤＭシンボルストリームに組み合わされ得る。ＲＸプロセッサ６５６はその後、高速フーリエ変換（ＦＦＴ）を用いて、ＯＦＤＭシンボルストリームを時間ドメインから周波数ドメインにコンバートする。周波数ドメイン信号は、ＯＦＤＭ信号の各サブキャリアについての別個のＯＦＤＭシンボルストリームとなる。各サブキャリアのシンボル、及び基準信号は、ｅＮＢ６１０によって送信された最も可能性の高い信号コンステレーションポイントを決定することによって復元及び復調される。これらの軟判定は、チャネル推定器６５８によって計算されるチャネル推定値に基づき得る。軟判定はその後、物理チャネルでｅＮＢ６１０によって当初送信されたデータ及び制御信号を復元するために、デコード及びデインターリーブ（deinterleave）される。データ及び制御信号はその後、コントローラ／プロセッサ６５９に提供される。
【００５０】
[0065]コントローラ／プロセッサ６５９は、Ｌ２レイヤを実装する。コントローラ／プロセッサは、プログラムコード及びデータを記憶するメモリ６６０に関連付けられることができる。メモリ６６０は、コンピュータ可読媒体と呼ばれ得る。ＵＬにおいて、コントローラ／プロセッサ６５９は、コアネットワークからの上位レイヤパケットを復元するために、制御信号処理、ヘッダの解凍、暗号解読、パケットのリアセンブリ、トランスポートチャネルと論理チャネルとの間での逆多重化（demultiplexing）を提供する。その後、上位レイヤパケットは、データシンク６６２に提供され、それは、Ｌ２レイヤより上位の全てのプロトコルレイヤを表す。様々な制御信号もまた、Ｌ３処理のためにデータシンク６６２に提供され得る。コントローラ／プロセッサ６５９はまた、ＨＡＲＱ動作をサポートするために、肯定応答（ＡＣＫ）及び／または否定応答（ＮＡＣＫ）プロトコルを用いた誤り検出を担う。更にＵＥ６５０は、受信されたアップリンク伝送ウィンドウ長に基づいてアップリンク帯域幅割り振りを決定するために、アップリンク帯域幅割り振りマップを周期的に受信し、アップリンク伝送ウィンドウ毎にマップを参照するように構成されたアップリンク管理コンポーネント６６１を含み得る。
【００５１】
[0066]ＵＬでは、コントローラ／プロセッサ６５９に上位レイヤパケットを提供するために、データソース６６７が使用される。データソース６６７は、Ｌ２レイヤより上位の全てのプロトコルレイヤを表す。ｅＮＢ６１０によるＤＬ伝送に関して説明された機能と同様に、コントローラ／プロセッサ６５９は、ｅＮＢ６１０による無線リソース割り振りに基づいて、論理チャネルとトランスポートチャネル間の多重化、パケットセグメント化と並べ替え、暗号化、及びヘッダ圧縮を提供することによって、ユーザプレーン及び制御プレーンについてのＬ２レイヤを実装する。コントローラ／プロセッサ６５９はまた、ＨＡＲＱ動作、損失パケットの再送、及びｅＮＢ６１０へのシグナリングを担う。
【００５２】
[0067]ｅＮＢ６１０によって送信された基準信号またはフィードバックからチャネル推定器６５８によって導出されたチャネル推定値は、適切なコーディング及び変調スキームを選択し、空間処理を容易にするために、ＴＸプロセッサ６６８によって用いられ得る。ＴＸプロセッサ６６８によって生成された空間ストリームは、別個の送信機６５４ＴＸを介して異なるアンテナ６５２に提供される。各送信機６５４ＴＸは、伝送のためにそれぞれの空間ストリームでＲＦキャリアを変調する。
【００５３】
[0068]ＵＬ伝送は、ＵＥ６５０における受信機機能に関連して説明されたのと同様の方法で、ｅＮＢ６１０において処理される。各受信機６１８ＲＸは、そのそれぞれのアンテナ６２０を通じて信号を受信する。各受信機６１８ＲＸは、ＲＦキャリア上に変調された情報を復元し、ＲＸプロセッサ６７０にその情報を提供する。ＲＸプロセッサ６７０は、Ｌ１レイヤを実装し得る。
【００５４】
[0069]コントローラ／プロセッサ６７５は、Ｌ２レイヤを実装する。コントローラ／プロセッサ６７５は、プログラムコード及びデータを記憶するメモリ６７６に関連付けられることができる。メモリ６７６は、コンピュータ可読媒体と呼ばれ得る。ＵＬにおいて、コントローラ／プロセッサ６７５は、ＵＥ６５０からの上位レイヤパケットを復元するために、制御信号処理、ヘッダの解凍、暗号解読、パケットのリアセンブリ、トランスポートチャネルと論理チャネルとの間での逆多重化を提供する。コントローラ／プロセッサ６７５からの上位レイヤパケットは、コアネットワークに提供され得る。コントローラ／プロセッサ６７５はまた、ＨＡＲＱ動作をサポートするために、ＡＣＫ及び／またはＮＡＣＫプロトコルを使用する誤り検出を担う。
【００５５】
[0070]図７Ａ及び７Ｂは、一意の伝送ウィンドウ長７１４及び７２０をそれぞれ有する２つの別個のアップリンク伝送ウィンドウについての、アップリンク帯域幅割り振り７００Ａ及び７００Ｂの限定しない例をそれぞれ例示する。これらのアップリンク帯域幅割り振り７００Ａ及び７００Ｂは、アップリンク帯域幅割り振りマップに含まれ得、これは周期的で半静的に（例えば、伝送ウィンドウ毎よりも低い頻度で）生成され、１つまたは複数のＵＥに送信され得る。一態様では、アップリンク帯域幅割り振り７００Ａ及び７００Ｂは、それぞれの伝送ウィンドウ長に基づいてアップリンクチャネルにつきＵＥ固有の帯域幅割り振り（UE-specific bandwidth allocation）を包含する。言い換えれば、各アップリンク帯域幅割り振りマップは、複数の伝送ウィンドウ長の各々につき、ネットワークエンティティによってサービス提供される複数のＵＥ（またはそのサブセット）の各々につき、帯域幅割り振りを含み得る。いくつかの例では、別個のＵＥに送信されたアップリンク帯域幅割り振りマップは、第１ＵＥに送信されたアップリンク帯域幅割り振りマップが第２ＵＥに送信されたアップリンク帯域幅割り振りマップと異なり得るように、与えられたＵＬウィンドウ長につき一意の帯域幅割り振りを包含し得る。このように、各ＵＥに送信されたアップリンク帯域幅割り振りマップに含まれる、ＵＬウィンドウ長対ＵＥアップリンク帯域幅割り振り情報は、同じウィンドウ長につき、１つまたは複数の他のＵＥと異なる可能性があり得、必要であれば一様でない帯域幅割り振りを許容する。一態様では、これらの伝送ウィンドウ長の各々は、複数の伝送ウィンドウ長を形成するためにアグリゲートされ得る一意の数のシンボルを含み得、それは各々一意のＴＴＩを有し得る。例えば図７Ａでは、伝送ウィンドウ長７１４を有する伝送ウィンドウにつきアップリンク帯域幅割り振りが提示される。同じように図７Ｂは、伝送ウィンドウ長７２０を有する伝送ウィンドウについてアップリンク帯域幅割り振りを描写し、それは伝送ウィンドウ長７１４よりも短い。
【００５６】
[0071]本開示の態様によれば、伝送ウィンドウ長（例えば７１４または７２０）は、伝送ウィンドウ毎的に（すなわち、アップリンク帯域幅割り振りマップ伝送の周期性よりもより高い頻度で）送信され得、そして各ＵＥに、引き続く（例えば次の）伝送ウィンドウの伝送ウィンドウ長を通知し得る。この伝送ウィンドウ長に基づいて、ＵＥは最近に受信したアップリンク帯域幅割り振りマップ（これはＵＥメモリに記憶され得る）における伝送ウィンドウ長に対応するそのアップリンク帯域幅割り振りを調べ得る（look up）。その後、次の伝送ウィンドウの期間、ＵＥは、アップリンクでの制御データを送信するために、対応するアップリンク帯域幅割り振りに示されたリソースを用い得る。一態様では、そのような制御情報は、これらには限定されないが、肯定応答（ＡＣＫ）メッセージ、否定応答（ＮＡＣＫ）メッセージ、チャネル品質情報（ＣＱＩ）、または他のあらゆる制御情報を含み得る。
【００５７】
[0072]図７Ａに示すように、共有アップリンクチャネル（例えば、物理アップリンク制御チャネル（ＰＵＣＣＨ））に対応するアップリンク帯域幅が、アップリンクデータ割り振りとアップリンク制御情報割り振りとの間に割り振られ得る。例えば他のＵＬデータ７０４及び７１２は、物理ダウンリンク制御チャネル（ＰＤＣＣＨ）で搬送される明示的なアップリンクグラント（uplink grant）に基づいて割り振られ得るアップリンクデータ伝送割り振りに対応し得る。更に、アップリンク帯域幅割り振り７００Ａは、伝送ウィンドウ長７１４に依存する３つのＵＥについての制御帯域幅割り振りを含む。これらの割り振りは、ＵＥ１制御帯域幅割り振り７０６、ＵＥ２制御帯域幅割り振り７０８、及びＵＥ３制御帯域幅割り振り７１０を含む。図７Ａに例示するように、これらのＵＥ固有で伝送ウィンドウ長依存の制御帯域幅割り振りの各々は、アップリンク帯域幅７０２内の一意の帯域幅の範囲、リソース要素、またはリソース要素グループにマッピングされる。言い換えれば、伝送ウィンドウ長７１４だけに基づいて、ＵＥ１、ＵＥ２、及びＵＥ３は、それらの一意の帯域幅割り振りを決定するために、アップリンク帯域幅割り振りマップを照会することができる。
【００５８】
[0073]更に、図７Ａの帯域幅割り振りと図７Ｂのそれとの比較に基づいて明らかなように、ネットワークエンティティから受信された伝送ウィンドウ長が変わった際には、各ＵＥにつき一意の帯域幅割り振りも変わり得る。例えば、ネットワークエンティティによりサービス提供されるＵＥの各々によって（例えば、図７Ａの伝送ウィンドウに引き続いて）伝送ウィンドウ長７２０が受信された場合、ＵＥ１、ＵＥ２、及びＵＥ３は、伝送ウィンドウ長７２０に対応する各ＵＥの一意の帯域幅割り振りを調べるために、アップリンク帯域幅割り振りマップを再度照会し得、それは伝送ウィンドウ長７１４に対して短い持続時間（duration）を有する。アップリンク帯域幅割り振り７００Ｂに例示されるように、ＵＥ１は、そのアップリンク制御帯域幅割り振りがＵＥ１制御帯域幅割り振り７１５に対応することを決定することができ、ＵＥ２は、そのアップリンク制御帯域幅割り振りがＵＥ２制御帯域幅割り振り７１６に対応することを決定することができ、そしてＵＥ３は、この特定の伝送ウィンドウにはアップリンク帯域幅割り振りが存在しないことを決定し得る。更に、アップリンク帯域幅割り振り７００Ａのように、アップリンク帯域幅割り振り７００Ｂは、例えば前のＰＤＣＣＨ割り振りにおいて他のＵＬデータ７１８に付与された帯域幅を含み得る。
【００５９】
[0074]更なる態様では、図７Ａ及び７ＢのＵＥ固有のアップリンク帯域幅割り振りが隣接（contiguous）している（すなわち、各ＵＥが単一の隣接する帯域幅割り振りを有する）が、ＵＥは、伝送ウィンドウにおいて、複数の不連続な帯域幅割り振り（すなわち、複数の不連続な帯域幅の範囲）を有し得る。例えば、ネットワークエンティティはＵＥ１に複数の帯域幅領域を割り振り得、複数の帯域幅領域は、他のＵＥへの割り振り（例えば、データ付与または他のアップリンク制御帯域幅割り振り）により、分離され得る。いくつかの例では、ＵＥの帯域幅割り振りは、Ｎ個のリソースブロックのセットにおける１つのリソースブロックを占める広帯域幅にかかる（span）インターレースされたリソースブロック構造を取り得る。
【００６０】
[0075]更に、アップリンク帯域幅の単一の時間−周波数リソース（single time-frequency resource）が、単一の伝送ウィンドウのアップリンク制御伝送のため、複数のＵＥに割り振られ得る。この例の態様を容易にするため、符号分割多重化（ＣＤＭ）が用いられ得る。言い換えれば、各ＵＥは、時間−周波数リソース割り振りのアップリンク伝送が、互いに直交するＵＥ固有のコードを用いて符号分割多重化され得るように、特定のコードが割り当てられ得る。更に、ＯＦＤＭヌメロロジー（numerology）は、時間にわたって（例えば複数のＵＥ間で時間ウィンドウを分ける）、周波数にわたって（例えば複数のＵＥ間で帯域幅割り振りを分ける）、またはその両方でのこのやり方での符号分割多重化に有利であり得る。更に、アップリンク伝送ウィンドウが持続時間において比較的長く、及び／またはアップリンクチャネルが時間においてコヒーレントである場合、時間でのＣＤＭが、周波数でのＣＤＭよりも好まれ得る。あるいは、アップリンク伝送ウィンドウが時間において比較的短く、及び／またはアップリンクチャネルが周波数においてコヒーレントである場合には、周波数でのＣＤＭが、時間でのＣＤＭよりも好まれ得る。
【００６１】
[0076]更なる態様では、符号分割多重化を用いるかについての決定は、動作条件、設計のヌメロロジーなどに基づき得る。例えば、特定のネットワークエンティティが、制御データを送信しなければならない比較的多数のＵＥにサービス提供している場合、ネットワークエンティティは、符号分割多重化が使われるべきと決定し得る。符号分割多重化を用いることに関するルール（ＣＤＭが使用されるべきか、どのコードがどのＵＥに割り当てられるのかなど）は、アップリンク帯域幅割り振りマップを介して生成されＵＥに送信され得る。
【００６２】
[0077]図８はアップリンクスケジューリングコンポーネント６０２（図６参照）の複数のサブコンポーネントを包含するブロック図であり、例えばＬＴＥシステムにおいて制御オーバーヘッドを低減するためにアップリンク帯域幅リソースを（例えば半静的に）割り振るためのネットワークエンティティ（例えばｅノードＢ）によって実装され得る。アップリンクスケジューリングコンポーネント６０２は、アップリンク帯域幅割り振りマップ生成コンポーネント８０２を含み得、これはアップリンク帯域幅割り振りマップを生成するように構成され、アップリンク帯域幅割り振りマップは、複数のアップリンク伝送ウィンドウ長の各々につき、１つまたは複数のＵＥの少なくとも１つのためのアップリンク帯域幅割り振り８０６を定義し得る。更に、アップリンク帯域幅割り振りマップ生成コンポーネント８０２は、周期性時間期間（periodicity time period）８０４（例えば生成の頻度）によって定義されたように周期的にアップリンク帯域幅割り振りマップを生成し得る。一態様では、周期性時間期間８０４は、複数の伝送ウィンドウについてのアップリンク帯域幅割り振りがマップによって管理されるように、単一の伝送ウィンドウ長よりも長くされ得る。言い換えれば、周期性時間期間８０４は、アップリンク帯域幅割り振りマップの生成（及び送信コンポーネント８１４による引き続く伝送）の半静的なタイミングを定義し得る。いくつかの例において、一例を挙げると、周期性時間期間は約１００ｍｓであり得、しかしこれは時間期間を限定する例ではない。
【００６３】
[0078]更に、アップリンクスケジューリングコンポーネント６０２は、伝送ウィンドウ長選択コンポーネント８０８を含み得、これは各アップリンク伝送ウィンドウにつきアップリンク伝送ウィンドウ長を選択するように構成され得る。いくつかの例では、アップリンク伝送ウィンドウ長は、ネットワークエンティティによってサービス提供され、または関連付けられた複数の、１つまたは複数のＵＥに少なくとも部分的に基づいて選択され得る。あるいは、または更に、アップリンク伝送ウィンドウ長は、１つまたは複数のＵＥに対応するＵＥアップリンクロード（UE uplink load）８１０（それは、ＵＥによって周期的にネットワークエンティティにシグナリングされ、または例えば対応するＡＣＫまたはＮＡＣＫを要求する最近のダウンリンクトラフィックの量に基づいてネットワークエンティティにより決定され得る）に少なくとも部分的に基づいて選択され得る。伝送ウィンドウ長が選択される際、送信コンポーネント８１４は、例えば各伝送ウィンドウの期間に（例えば伝送ウィンドウ毎に）ＲＲＣシグナリングを介して、選択された伝送ウィンドウ長をＵＥに送信し得る。
【００６４】
[0079]更に、選択されたアップリンク伝送ウィンドウ長は、長さが伝送ウィンドウ長選択コンポーネントにより選択されたアップリンク伝送ウィンドウ長の前に、複数のＵＥの少なくとも１つに、送信コンポーネント８１４によって送信され得る。例えば送信コンポーネント８１４は、各ＵＥが、選択された伝送ウィンドウ長に基づいてその一意のアップリンク帯域幅割り振りを決定するためにそのメモリに記憶されたアップリンク帯域幅割り振りマップを参照することができるように、先行する伝送または受信ウィンドウの期間にＵＥの各々に選択された伝送ウィンドウ長を送信し得る。
【００６５】
[0080]更に、アップリンクスケジューリングコンポーネント６０２はコード生成コンポーネント８１２を含み得、これは、複数の１つまたは複数のＵＥがアップリンク帯域幅割り振りマップにしたがって帯域幅を共有することを決定するように構成され得る。そのような決定に基づき、コード生成コンポーネント８１２は、複数の１つまたは複数のＵＥの各々につき一意のコード（例えばＣＤＭコード）を生成し得る。このように、コード生成コンポーネント８１２は、時間−周波数リソース割り振りを共有し得る複数のＵＥの少なくとも１つによるアップリンク伝送の符号分割多重化を可能にする。更に、送信コンポーネント８１４は、例えばスタンドアローンシグナリングメッセージ（stand-alone signaling message）で、またはアップリンク帯域幅割り振りマップの一部として、一意のコードを複数のＵＥの少なくとも１つに送信するように構成され得る。
【００６６】
[0081]図９は、本開示の方法例９００を例示し、これに限定されないが、図６及び図８のアップリンクスケジューリングコンポーネント６０２のような、ネットワークエンティティのコンポーネントまたはネットワークエンティティ（例えばｅノードＢ）によって行われ得る。例えば、一態様において、ブロック９０２において、方法９００は、ネットワークエンティティにより、アップリンク帯域幅割り振りマップを生成することを含み得る。一態様では、アップリンク帯域幅割り振りマップは、複数のアップリンク伝送ウィンドウ長の各々につき、ネットワークエンティティによりサービス提供されている１つまたは複数のＵＥの各々のためのアップリンク帯域幅割り振りを定義し得る。いくつかの例では、各アップリンク帯域幅割り振りマップは、ネットワークエンティティによりサービス提供されている１つまたは複数のＵＥのサブセットまたはＵＥに一意であり得る。このように、第１ＵＥに送信される第１アップリンク帯域幅割り振りマップは、第２ＵＥに送信される第２アップリンク帯域幅割り振りマップに関連して、個々のアップリンク伝送ウィンドウ長につき異なるアップリンク帯域幅割り振りを包含し得る。一態様では、ブロック９０２は、図８のアップリンク帯域幅割り振りマップ生成コンポーネント８０２によって行われ得る。
【００６７】
[0082]更に方法９００は、ブロック９０４において、１つまたは複数のＵＥの少なくとも１つに、アップリンク帯域幅割り振りマップを送信することを含み得る。一態様では、ブロック９０４は、図８の送信コンポーネント８１４によって行われ得る。更にブロック９０２及び９０４でのアップリンク帯域幅割り振りマップの生成及び送信は、周期的に及び周期性時間期間（これは伝送ウィンドウ長よりも大きくされ得る）にしたがって生じ得る。
【００６８】
[0083]更に、ブロック９０６では、任意的な態様において（破線のブロックで例示されるように）、方法９００は、アップリンク伝送ウィンドウにつき、アップリンク伝送ウィンドウ長を選択することを含み得る。一態様では、ブロック９０６は、図８の伝送ウィンドウ長選択コンポーネント８０８によって行われ得る。更に、アップリンク伝送ウィンドウ長は、ネットワークエンティティによりサービス提供されるまたは関連付けられる複数の１つまたは複数のＵＥ、及び／または１つまたは複数のＵＥに対応するＵＥアップリンクロードに少なくとも部分的に基づいて選択され得る。
【００６９】
[0084]更に任意的な態様において、方法９００はブロック９０８で、アップリンク伝送ウィンドウの前に、複数のＵＥの少なくとも１つにアップリンク伝送ウィンドウ長を送信することを含み得る。ブロック９０４のように、ブロック９０８は図８の送信コンポーネント８１４により行われ得る。更に、ブロック９０６及び９０８は、各アップリンク伝送ウィンドウにつき行われ得る。
【００７０】
[0085]更に、図９では明示的に示されていないが、方法９００は１つまたは複数の代わりのまたは更なる特徴を含み得る。例えば方法９００は、複数の１つまたは複数のＵＥがアップリンク帯域幅割り振りマップに従って帯域幅を共有すべきことを決定することを含み得る。更に方法９００は、複数の１つまたは複数のＵＥの少なくとも１つによるアップリンク伝送の符号分割多重化を可能にするため、複数の１つまたは複数のＵＥの各々につき、一意のコードを生成することを含み得る。同じく、方法９００は、複数の１つまたは複数のＵＥの少なくとも１つに一意のコードを送信することを含み得る。
【００７１】
[0086]図１０は、例証的な装置１００２における異なるモジュール／手段／コンポーネント間のデータフローを例示する概念的なデータフロー図１０００である。装置１００２はｅノードＢであり得、これに限定されないが、図１のアクセスポイント１０５、図２のマクロｅＮＢ２０４または低電力クラスｅＮＢ２０８、または図６のｅＮＢ６１０を含み得、これらのうちのいずれもが、アップリンクスケジューリングコンポーネント６０２（図８参照）を含み得る。装置１００２は、アップリンクデータ１０１０（例えばＵＥ１００８によって装置１００２に送られ、ＵＥ１００８は、これらに限定されないが、図１のＵＥ１１５、図２のＵＥ２０６、または図６のＵＲ６５０を含み得る）を受信するように構成された受信コンポーネント１００４を含む。アップリンクデータ１０１０は、これに限定されないが、ＵＥ１００８によって送信された１つまたはそれ以上の制御信号を含み得る。更に、いくつかの例では、受信コンポーネント１００４は、図１１のアンテナ１１２０またはトランシーバ１１１０であり得る。
【００７２】
[0087]いくつかの事例では、受信コンポーネント１００４は、受信した制御情報１０１２をアップリンクスケジューリングコンポーネント６０２（図６参照）に転送し得、これはアップリンク帯域幅割り振りマップを生成し、１つまたは複数のＵＥ（ＵＥ１００８を含む）につきアップリンク伝送ウィンドウ長を選択するように構成され得る。アップリンクスケジューリングコンポーネント６０２は、アップリンク帯域幅割り振りマップ及び／またはアップリンク伝送ウィンドウ長１０１４を、装置１００２の伝送コンポーネント１００６に転送し得る。
【００７３】
[0088]一態様では、ダウンリンクデータ１０１６（これはアップリンク帯域幅割り振りマップ及び／またはアップリンク伝送ウィンドウ長を含み得る）を１つまたは複数のＵＥ（これはＵＥ１００８を含み得る）に送信するように構成された伝送コンポーネント（これは、図８の送信コンポーネント８１４または図１１のトランシーバ１１１０またはアンテナ１１２０に対応し得る）。
【００７４】
[0089]装置１００２は、上述の図９のフローチャートにおける方法９００のステップの各々を行う更なるモジュールを含み得る。このように、前述された図９の方法９００の各ステップは、特定のコンポーネントによって行われ、装置１００２はそれらのコンポーネントの１つまたは複数を含み得る。コンポーネントは、記載された方法９００及びそのプロセス／アルゴリズムを遂行するように特に構成された１つまたは複数のハードウェアコンポーネントであり得、記載されたプロセス／アルゴリズムを行うように構成されたプロセッサによって実装され得、プロセッサによる実装のためにコンピュータ可読媒体内に記憶され得、またはそれらの何らかの組み合わせであり得る。
【００７５】
[0090]図１１は、処理システム１１１４を用いる装置１００２’のためのハードウェア実装の例を例示する図１１１０である。図１０の装置１００２と同じく、装置１００２’及び／または処理システム１１１４は、ネットワークエンティティ（例えば、図１のアクセスポイント１０５、図２のマクロｅＮＢ２０４または低電力クラスｅＮＢ２０８、図６のｅＮＢ６１０、または図１０の装置１００２）であり得る。処理システム１１１４は、一般的にバス１１２４で表される、バスアーキテクチャを用いて実装され得る。バス１１２４は、処理システム１１１４の特定のアプリケーション及び全体的な設計制約に依存して、任意の数の相互接続バス及びブリッジを含み得る。バス１１２４は、プロセッサ１１０４、アップリンクスケジューリングコンポーネント６０２（図８参照）、及びコンピュータ可読媒体１１０６によって表された、１つまたは複数のプロセッサ及び／またはハードウェアモジュールを含む様々な回路を互いにリンクさせる。バス１１２４はまた、タイミングソース、周辺機器、電圧レギュレータ、及び電力管理回路のような様々な他の回路をリンクし得、それらは、当該技術において良く知られており、したがって、これ以上は説明されない。
【００７６】
[0091]処理システム１１１４は、トランシーバ１１１０に結合され得る。トランシーバ１１１０は、１つまたは複数のアンテナ１１２０に結合される。トランシーバ１１１０は、伝送媒体によって他の様々な装置と通信する手段を提供する。更にトランシーバ１１１０は、少なくともアップリンク帯域幅割り振りマップ及び／または伝送ウィンドウ長を１つまたは複数のＵＥに送信するように構成され得、そして図１０の伝送コンポーネント１００６及び／または図８の送信コンポーネント８１４を含む可能性があり得る。処理システム１１１４は、コンピュータ可読媒体１１０６に結合されたプロセッサ１１０４を含む。プロセッサ１１０４は、コンピュータ可読媒体１１０６に記憶されたソフトウェアの実行を含む、一般的な処理を担う。ソフトウェアは、プロセッサ１１０４によって実行される際、処理システム１１１４に、任意の特定の装置について上に説明した様々な機能を行わせる。コンピュータ可読媒体１１０６はまた、ソフトウェアを実行する際に、プロセッサ１１０４によって操作されるデータを記憶するために用いられ得る。処理システム１１１４は更に、アップリンクスケジューリングコンポーネント６０２（図８参照）及び図８で説明したそのサブコンポーネントの１つまたは複数を含み得る。モジュール／コンポーネントは、プロセッサ１１０４で実行中のソフトウェアモジュール、コンピュータ可読媒体１１０６に常駐する／記憶されたソフトウェアモジュール、プロセッサ１１０４に結合された１つまたは複数のハードウェアモジュール、またはそれらのいくつかの組み合わせであり得る。処理システム１１１４は、ｅＮＢ６１０のコンポーネントであり得、メモリ６７６及び／またはＴＸプロセッサ６１６、ＲＸプロセッサ６７０、及びコントローラ／プロセッサ６７５の少なくとも１つを含み得る。
【００７７】
[0092]一構成では、ワイヤレス通信のための装置１００２’は、ネットワークエンティティによって、アップリンク帯域幅割り振りマップを生成する手段と、このアップリンク帯域幅割り振りマップは、複数のアップリンク伝送ウィンドウ長の各々についての１つまたは複数のＵＥの少なくとも１つのためのアップリンク帯域幅割り振りを定義し、１つまたは複数のＵＥの少なくとも１つにアップリンク帯域幅割り振りマップを送信する手段と、アップリンク伝送ウィンドウのためのアップリンク伝送ウィンドウ長を選択する手段と、アップリンク伝送ウィンドウの前に、複数のＵＥの少なくとも１つにアップリンク伝送ウィンドウ長を送信する手段とを含む。
【００７８】
[0093]前述された手段は、前述された手段によって記載された機能を行うように構成された装置１００２’の処理システム１１１４、及び／または、装置１００２の前述されたモジュールの１つまたは複数であり得る。上で説明されたように、処理システム１１１４は、ＴＸプロセッサ６１６、ＲＸプロセッサ６７０、及びコントローラ／プロセッサ６７５を含み得る。このように、一構成において前述された手段は、前述された手段によって記載された機能を行うように構成されたＴＸプロセッサ６１６、ＲＸプロセッサ６７０、及びコントローラ／プロセッサ６７５であり得る。
【００７９】
[0094]図１２は、アップリンク管理コンポーネント６６１（図６参照）の複数のサブコンポーネントを包含するブロック図であり、これは、ネットワークエンティティから受信された伝送ウィンドウ長及びアップリンク帯域幅割り振りマップにしたがってアップリンク制御伝送を管理するためにＵＥによって実装され得る。一態様では、アップリンク管理コンポーネント６６１は受信コンポーネント１２０２を含み得、これは、ネットワークエンティティからアップリンク帯域幅割り振りマップ１２０６を受信するように構成され得る。一態様では、アップリンク帯域幅割り振りマップ１２０６は、複数のアップリンク伝送ウィンドウ長の各々につき、ＵＥのためのアップリンク帯域幅割り振りを定義し得る。更に、受信コンポーネント１２０２は、ネットワークエンティティから、そしてアップリンク帯域幅割り振りマップ１２０６を受信した後に、アップリンク伝送ウィンドウのためのアップリンク伝送ウィンドウ長を受信するように構成され得、これはアップリンク伝送ウィンドウ長が受信された時間に関連して引き続く時間でのウィンドウを含み得る。更に、ＣＤＭが利用される場合、受信コンポーネント１２０２は、ネットワークエンティティから、アップリンク伝送ウィンドウの期間、ＣＤＭ実装のための一意のコードを受信し得る。
【００８０】
[0095]更に、アップリンク管理コンポーネント６６１はメモリ１２０４を含み得、これは受信コンポーネント１２０２で受信されたアップリンク帯域幅割り振りマップ１２０６を記憶するように構成され得る。一態様では、メモリ１２０４は、新たなアップリンク帯域幅割り振りマップが受信され、新たなアップリンク帯域幅割り振りマップが現在記憶されているアップリンク帯域幅割り振りマップを置換し得る時点まで、アップリンク帯域幅割り振りマップ１２０６を記憶し得る。
【００８１】
[0096]更に、アップリンク管理コンポーネント６６１はアップリンク帯域幅割り振りマップ照会コンポーネント１２０８を含み得、これは受信されたアップリンク伝送ウィンドウ長１２１０に対応するアップリンク帯域幅割り振りを決定するために、メモリ１２０４内のアップリンク帯域幅割り振りマップ１２０６を参照するように構成され得る。更に、アップリンク管理コンポーネント６６１は送信コンポーネント１２１２を含み得、これは、アップリンク帯域幅割り振りマップ１２０６から返されたアップリンク帯域幅割り振りに基づいてアップリンク伝送ウィンドウ長１２１０の期間に制御信号を送信するように構成され得る。
【００８２】
[0097]図１３は、本開示の方法例１３００を例示し、これに限定されないが、図６及び図１２のアップリンク管理コンポーネント６６１のような、ＵＥのコンポーネントまたはＵＥにより行われ得る。例えば、一態様では、ブロック１３０２において、方法１３００はネットワークエンティティからアップリンク帯域幅割り振りマップを受信することを含み得る。一態様では、アップリンク帯域幅割り振りマップは、複数のアップリンク伝送ウィンドウ長の各々につき、ＵＥのためのアップリンク帯域幅割り振りを定義し得る。一態様では、ブロック１３０２は、図１２の受信コンポーネント１２０２により行われ得る。
【００８３】
[0098]更に方法１３００は、ブロック１３０４において、アップリンク帯域幅割り振りマップをメモリ（例えば図１２のメモリ１２０４）に記憶することを含み得る。更に方法１３００は、ブロック１３０６において、ネットワークエンティティから、そしてアップリンク帯域幅割り振りマップを受信した後、アップリンク伝送ウィンドウについてのアップリンク伝送ウィンドウ長を受信することを含み得る。一態様では、ブロック１３０６は、図１２の受信コンポーネント１２０２によって行われ得る。
【００８４】
[0099]更にブロック１３０８において方法１３００は、受信したアップリンク伝送ウィンドウ長に対応するアップリンク帯域幅割り振りを決定するために、メモリのアップリンク帯域幅割り振りマップを照会することを含み得る。一態様では、ブロック１３０８は、図１２のアップリンク帯域幅割り振りマップ照会コンポーネント１２０８によって行われ得る。更に方法１３００はブロック１３１０において、アップリンク帯域幅割り振りに基づき、ウィンドウ長の期間、制御信号を送信することを含み得る。一態様において、制御信号は、ＡＣＫ、ＮＡＣＫ、ＣＱＩ、バーストインターフェアランスインディケータ（bursty interference indicator）、または当業者にとって知られた他のあらゆる制御信号であり得る。更にブロック１３１０は、図１２の送信コンポーネント１２１２によって行われ得る。
【００８５】
[00100]更に、図１３では明示していないが、方法１３００は１つまたは複数の代わりのまたは追加の特徴を含み得る。例えば方法１３００は、ネットワークエンティティから、ＣＤＭシナリオでの使用のための一意のコードを受信することを含み得る。更に一態様では、ブロック１３１０は、共有された時間−周波数割り振りでのＣＤＭ実装を達成するためのコードを用いて制御信号を送信することを含み得る。
【００８６】
[00101]図１４は、例証的な装置１４０２の異なるモジュール／手段／コンポーネント間でのデータフローを例示する概念的なデータフロー図１４００である。いくつかの例では、装置１４０２はＵＥ（例えば図１のＵＥ１１５、図２のＵＥ２０６、または図６のＵＥ６５０）であり得る。装置は、データ１４１０（例えばネットワークエンティティ１４０８により装置１４０２に送られ、ネットワークエンティティ１４０８は本開示の１つまたは複数のｅノードＢを含み得る）を受信するように構成された受信コンポーネント１４０４を含む。いくつかの例では、受信コンポーネント１４０４は、図１２の受信コンポーネント１２０２または図１５のトランシーバ１５１０またはアンテナ１５２０に対応し得る。更に、データ１４１０は、これに限定されないが、本明細書で説明したアップリンク伝送ウィンドウ長及び／またはアップリンク帯域幅割り振りマップを含み得る。受信コンポーネント１４０４は、データ１４１２をアップリンク管理コンポーネント６６１（図１２参照）に転送するように構成され得、アップリンク管理コンポーネント６６１は図１３の方法１３００の態様を行うためにデータ１４１２を使用するように構成され得る。例として、アップリンク管理コンポーネント６６１は、メモリ内にアップリンク帯域幅割り振りマップを記憶し、そして受信したアップリンク伝送ウィンドウ長に対応するアップリンク帯域幅割り振りを決定するために、メモリ内のアップリンク帯域幅割り振りマップを照会するように構成され得る。更に、アップリンク管理コンポーネント６６１は、データ／メッセージ１４１４（例えば、１つまたは複数の制御信号１４１６に関連付けられる）を伝送コンポーネント１４０６に送り得る。
【００８７】
[00102]更に装置１４０２は、伝送ウィンドウ長の関数であるアップリンク帯域幅割り振りを用いてネットワークエンティティ１４０８に１つまたは複数の制御信号１４１６を送信するように構成された伝送コンポーネント１４０６（これは図１２の送信コンポーネント１２１２に対応し、または図１５のトランシーバ１５１０またはアンテナ１５２０に対応し得る）を含み得る。
【００８８】
[00103]装置は、前述された図１３のフローチャートのアルゴリズムのステップの各々を行う更なるモジュールを含み得る。このように、前述された図１３のフローチャート中の各ステップは、モジュールによって行われ、装置は、それらのモジュールの１つまたは複数を含み得る。モジュールは、述べられたプロセス／アルゴリズムを達成するように特に構成された１つまたは複数のハードウェアコンポーネントであり得、述べられたプロセス／アルゴリズムを行うように構成されたプロセッサによって実装され得、プロセッサによる実装のためにコンピュータ可読媒体に記憶され得、またはそれらのいくつかの組み合わせであり得る。
【００８９】
[00104]図１５は、処理システム１５１４を用いる装置１４０２’のためのハードウェア実装の例を例示する図１５００である。図１４の装置１４０２と同じように、装置１４０２’及び／または処理システム１５１４はＵＥ（例えば、図１のＵＥ１１５、図２のＵＥ２０６、または図６のＵＥ６５０）であり得る。処理システム１５１４は一般的にバス１５２４によって表される、バスアーキテクチャを用いて実装され得る。バス１５２４は、処理システム１５１４の特定のアプリケーション及び全体的な設計制約に依存して、任意の数の相互接続バス及びブリッジを含み得る。バス１５２４は、プロセッサ１５０４、アップリンク管理コンポーネント６６１（例えば図１２参照）、及びコンピュータ可読媒体１５０６によって表された、１つまたは複数のプロセッサ及び／またはハードウェアモジュールを含む様々な回路を互いにリンクさせる。バス１５２４はまた、タイミングソース、周辺機器、電圧レギュレータ、及び電力管理回路のような様々な他の回路をリンクし得、それらは、当該技術において良く知られており、したがって、これ以上は説明されない。
【００９０】
[00105]処理システム１５１４は、トランシーバ１５１０に結合され得る。トランシーバ１５１０は、１つまたは複数のアンテナ１５２０に結合される。トランシーバ１５１０は、伝送媒体によって他の様々な装置と通信する手段を提供する。更にトランシーバ１５１０は、１つまたは複数のネットワークエンティティに少なくとも制御信号を送信するように構成され得、図１２の送信コンポーネント１２１２を含む可能性があり得る。処理システム１５１４は、コンピュータ可読媒体１５０６に結合されたプロセッサ１５０４を含む。プロセッサ１５０４は、コンピュータ可読媒体１５０６に記憶されたソフトウェアの実行を含む、一般的な処理を担う。ソフトウェアは、プロセッサ１５０４によって実行される際、処理システム１５１４に、任意の特定の装置について上に説明した様々な機能を行わせる。コンピュータ可読媒体１５０６はまた、ソフトウェアを実行する際、プロセッサ１５０４によって操作されるデータを記憶するために用いられ得る。処理システムは、アップリンク管理コンポーネント６６１（図１２参照）の少なくとも１つを更に含む。モジュール／コンポーネントは、プロセッサ１５０４で実行中のソフトウェアモジュール、コンピュータ可読媒体１５０６に常駐する／記憶されたソフトウェアモジュール、プロセッサ１５０４に結合された１つまたは複数のハードウェアモジュール、またはそれらのいくつかの組み合わせであり得る。処理システム１５１４は、ＵＥ６５０のコンポーネントであり得、メモリ６６０及び／またはＴＸプロセッサ６６８、ＲＸプロセッサ６５６、及びコントローラ／プロセッサ６５９の少なくとも１つを含み得る。
【００９１】
[00106]一構成では、ワイヤレス通信のための装置１４０２’は、ネットワークエンティティから、アップリンク帯域幅割り振りマップを受信する手段と、このアップリンク帯域幅割り振りマップは、複数のアップリンク伝送ウィンドウ長の各々についてのＵＥのためのアップリンク帯域幅割り振りを定義し、アップリンク帯域幅割り振りマップをメモリに記憶する手段と、ネットワークエンティティから、そしてアップリンク帯域幅割り振りマップを受信した後、アップリンク伝送ウィンドウについてのアップリンク伝送ウィンドウ長を受信する手段と、受信したアップリンク伝送ウィンドウ長に対応するアップリンク帯域幅割り振りを決定するためにメモリのアップリンク帯域幅割り振りマップを照会する手段と、アップリンク帯域幅割り振りに基づいてウィンドウ長の期間、制御信号を送信する手段とを含む。
【００９２】
[00107]前述された手段は、前述された手段によって述べられた機能を行うように構成された装置１４０２’の処理システム１５１４、及び／または、装置１４０２の前述されたモジュールの１つまたは複数であり得る。上に説明されたように、処理システム１５１４は、ＴＸプロセッサ６６８、ＲＸプロセッサ６５６、及びコントローラ／プロセッサ６５９を含み得る。このように、一構成において、前述された手段は、前述された手段によって述べられた機能を行うように構成されたＴＸプロセッサ６６８、ＲＸプロセッサ６５６、及びコントローラ／プロセッサ６５９であり得る。
【００９３】
[00108]開示された処理におけるステップの特定の順序または階層は、例証的なアプローチの例示であるということが理解される。設計の好みに基づいて、処理におけるステップの特定の順序または階層は再配置され得ることが理解される。さらに、いくつかのステップは組み合わされ、または省略され得る。添付の方法の請求項は、サンプルの順序における様々なステップの要素を提示しており、提示された特定の順序または階層に限定されるようには意図されない。
【００９４】
[00109]前の説明は、当技術分野の当業者に、本明細書に説明された様々な態様を実施するのを可能にするために提供される。これらの態様への様々な修正は、当業者に容易に明らかとなり、本明細書に定義された一般的な原理は、他の態様に適用され得る。よって、特許請求の範囲は、本明細書に示された態様に限定されるように意図されてはいないが、特許請求の範囲の文言と一致する全範囲を付与されるべきであり、ここにおいて、単数形での要素への言及は、そうであると具体的に記載されない限り、「１つ及び１つのみ」を意味するようには意図されず、むしろ「１つまたは複数」を意味する。特に記載が無い限り、用語「いくつか」は１つまたは複数を指す。当業者に既知の、または後に周知となる、この開示を全体にわたって説明された様々な態様の要素と構造的及び機能的な同等物は全て、参照によって本明細書に明確に組み込まれ、特許請求の範囲に包含されるよう意図される。さらに、本明細書で開示されたものが、特許請求の範囲の中に明示的に記載されているか否かに関わらず、公に捧げられることを意図していない。要素が「〜する手段」というフレーズを使用して明確に記載されていない限り、どの請求項の要素もミーンズプラスファンクションとして解釈されるべきではない。
【図１】
2020099080.tif 000003
【図２】
2020099080.tif 000004
【図３】
2020099080.tif 000005
【図４】
2020099080.tif 000006
【図５】
2020099080.tif 000007
【図６】
2020099080.tif 000008
【図７Ａ】
2020099080.tif 000009
【図７Ｂ】
2020099080.tif 000010
【図８】
2020099080.tif 000011
【図９】
2020099080.tif 000012
【図１０】
2020099080.tif 000013
【図１１】
2020099080.tif 000014
【図１２】
2020099080.tif 000015
【図１３】
2020099080.tif 000016
【図１４】
2020099080.tif 000017
【図１５】
2020099080.tif 000018
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器（ＵＥ）において、ネットワークエンティティからアップリンク制御チャネル伝送ウィンドウについてのアップリンク制御チャネル伝送ウィンドウ長のインジケーションを受信することと、ここにおいて、前記アップリンク制御チャネル伝送ウィンドウ長は、前記ネットワークエンティティによってサービス提供される１つまたは複数のＵＥが通信することができる前記アップリンク制御チャネル伝送ウィンドウを定義する可変サイズの伝送時間インターバル（ＴＴＩ）に対応し、かつ前記アップリンク制御チャネル伝送ウィンドウの期間のアップリンク制御チャネルの帯域幅割り振りに関連付けられ、
前記ＵＥによって、関連付けられた帯域幅割り振りにしたがって前記アップリンク制御チャネル伝送ウィンドウの期間の前記アップリンク制御チャネル上で送信することと
を備える、方法。
【請求項２】
前記ＵＥにおいて、前記ネットワークエンティティからアップリンク制御チャネル帯域幅割り振りマップを受信することと、前記アップリンク制御チャネル帯域幅割り振りマップは、少なくとも前記アップリンク制御チャネル伝送ウィンドウ長についての前記ＵＥのための前記帯域幅割り振りを定義し、
前記ＵＥによって、前記受信されたアップリンク伝送ウィンドウ長に対応する前記帯域幅割り振りを前記アップリンク制御チャネル帯域幅割り振りマップに基づいて決定することと
をさらに備える、請求項１に記載の方法。
【請求項３】
前記アップリンク制御チャネル帯域幅割り振りマップを受信することは、半静的に前記アップリンク制御チャネル帯域幅割り振りマップを受信することを備える、請求項２に記載の方法。
【請求項４】
前記帯域幅割り振りは、連続する帯域幅割り振り、または複数の不連続な帯域幅の範囲の割り振りのうちの１つである、請求項１に記載の方法。
【請求項５】
前記アップリンク伝送ウィンドウ長は、前記対応する可変サイズのＴＴＩを形成するためにアグリゲートされた１つまたは複数のシンボルを備える、請求項１に記載の方法。
【請求項６】
前記アップリンク制御チャネル上で送信することは、アクノレッジメント（ＡＣＫ／ＮＡＣＫ）またはチャネル品質情報（ＣＱＩ）メッセージを送信することを備える、請求項１に記載の方法。
【請求項７】
ワイヤレス通信のための装置であって、
メモリと、
前記メモリと通信するプロセッサと、
を備え、前記プロセッサは、
ユーザ機器（ＵＥ）において、ネットワークエンティティからアップリンク制御チャネル伝送ウィンドウについてのアップリンク制御チャネル伝送ウィンドウ長のインジケーションを受信することと、ここにおいて、前記アップリンク制御チャネル伝送ウィンドウ長は、前記ネットワークエンティティによってサービス提供される１つまたは複数のＵＥが通信することができる前記アップリンク制御チャネル伝送ウィンドウを定義する可変サイズの伝送時間インターバル（ＴＴＩ）に対応し、かつ前記アップリンク制御チャネル伝送ウィンドウの期間のアップリンク制御チャネルの帯域幅割り振りに関連付けられ、
前記ＵＥによって、関連付けられた帯域幅割り振りにしたがって前記アップリンク制御チャネル伝送ウィンドウの期間の前記アップリンク制御チャネル上で送信することと
を行うように構成される、装置。
【請求項８】
前記プロセッサは、
前記ＵＥにおいて、前記ネットワークエンティティからアップリンク制御チャネル帯域幅割り振りマップを受信することと、前記アップリンク制御チャネル帯域幅割り振りマップは、少なくとも前記アップリンク制御チャネル伝送ウィンドウ長についての前記ＵＥのための前記帯域幅割り振りを定義し、
前記ＵＥによって、前記受信されたアップリンク伝送ウィンドウ長に対応する前記帯域幅割り振りを決定するために前記アップリンク制御チャネル帯域幅割り振りマップを照会することと
を行うようにさらに構成される、請求項７に記載の装置。
【請求項９】
前記アップリンク制御チャネル帯域幅割り振りマップを受信するように構成された前記プロセッサは、半静的に前記アップリンク制御チャネル帯域幅割り振りマップを受信するようにさらに構成される、請求項８に記載の装置。
【請求項１０】
前記帯域幅割り振りは、連続する帯域幅割り振り、または複数の不連続な帯域幅の範囲の割り振りのうちの少なくとも１つである、請求項７に記載の装置。
【請求項１１】
前記アップリンク伝送ウィンドウ長は、前記対応する可変サイズのＴＴＩを形成するためにアグリゲートされた１つまたは複数のシンボルを備える、請求項７に記載の装置。
【請求項１２】
前記アップリンク制御チャネル上で送信するように構成された前記プロセッサは、アクノレッジメント（ＡＣＫ／ＮＡＣＫ）またはチャネル品質情報（ＣＱＩ）メッセージを送信するようにさらに構成される、請求項７に記載の装置。
【請求項１３】
ワイヤレス通信のための装置であって、
ユーザ機器（ＵＥ）において、ネットワークエンティティからアップリンク制御チャネル伝送ウィンドウについてのアップリンク制御チャネル伝送ウィンドウ長のインジケーションを受信するための手段と、ここにおいて、前記アップリンク制御チャネル伝送ウィンドウ長は、前記ネットワークエンティティによってサービス提供される１つまたは複数のＵＥが通信することができる前記アップリンク制御チャネル伝送ウィンドウを定義する可変サイズの伝送時間インターバル（ＴＴＩ）に対応し、かつ前記アップリンク制御チャネル伝送ウィンドウの期間のアップリンク制御チャネルの帯域幅割り振りに関連付けられ、
前記ＵＥによって、関連付けられた帯域幅割り振りにしたがって前記アップリンク制御チャネル伝送ウィンドウの期間の前記アップリンク制御チャネル上で送信するための手段と
を備える、装置。
【請求項１４】
前記ＵＥにおいて、前記ネットワークエンティティからアップリンク制御チャネル帯域幅割り振りマップを受信するための手段と、前記アップリンク制御チャネル帯域幅割り振りマップは、少なくとも前記アップリンク制御チャネル伝送ウィンドウ長についての前記ＵＥのための前記帯域幅割り振りを定義し、
前記ＵＥによって、前記受信されたアップリンク伝送ウィンドウ長に対応する前記帯域幅割り振りを決定するために前記アップリンク制御チャネル帯域幅割り振りマップを照会するための手段と
さらに備える、請求項１３に記載の装置。
【請求項１５】
前記アップリンク制御チャネル帯域幅割り振りマップを受信するための手段は、半静的に前記アップリンク制御チャネル帯域幅割り振りマップを受信するための手段を備える、請求項１４に記載の装置。
【請求項１６】
前記帯域幅割り振りは、連続する帯域幅割り振り、または複数の不連続な帯域幅の範囲の割り振りのうちの少なくとも１つである、請求項１３に記載の装置。
【請求項１７】
前記アップリンク伝送ウィンドウ長は、前記対応する可変サイズのＴＴＩを形成するためにアグリゲートされた１つまたは複数のシンボルを備える、請求項１３に記載の装置。
【請求項１８】
前記アップリンク制御チャネル上で送信するための手段は、アクノレッジメント（ＡＣＫ／ＮＡＣＫ）またはチャネル品質情報（ＣＱＩ）メッセージを送信するための手段を備える、請求項１３に記載の装置。
【請求項１９】
ワイヤレス通信のためのコンピュータ実行可能なコードを記憶する非一時的コンピュータ可読媒体であって、
ユーザ機器（ＵＥ）において、ネットワークエンティティからアップリンク制御チャネル伝送ウィンドウについてのアップリンク制御チャネル伝送ウィンドウ長のインジケーションを受信するためのコードと、ここにおいて、前記アップリンク制御チャネル伝送ウィンドウ長は、前記ネットワークエンティティによってサービス提供される１つまたは複数のＵＥが通信することができる前記アップリンク制御チャネル伝送ウィンドウを定義する可変サイズの伝送時間インターバル（ＴＴＩ）に対応し、かつ前記アップリンク制御チャネル伝送ウィンドウの期間のアップリンク制御チャネルの帯域幅割り振りに関連付けられ、
前記ＵＥによって、関連付けられた帯域幅割り振りにしたがって前記アップリンク制御チャネル伝送ウィンドウの期間の前記アップリンク制御チャネル上で送信するためのコードと
を備える、非一時的コンピュータ可読媒体。
【請求項２０】
前記ＵＥにおいて、前記ネットワークエンティティからアップリンク制御チャネル帯域幅割り振りマップを受信するためのコードと、前記アップリンク制御チャネル帯域幅割り振りマップは、少なくとも前記アップリンク制御チャネル伝送ウィンドウ長についての前記ＵＥのための前記帯域幅割り振りを定義し、
前記ＵＥによって、前記受信されたアップリンク伝送ウィンドウ長に対応する前記帯域幅割り振りを決定するために前記アップリンク制御チャネル帯域幅割り振りマップを照会するためのコードと
をさらに備える、請求項１９に記載の非一時的コンピュータ可読媒体。
【請求項２１】
前記アップリンク制御チャネル帯域幅割り振りマップを受信するためのコードは、半静的に前記アップリンク制御チャネル帯域幅割り振りマップを受信するためのコードを備える、請求項２０に記載の非一時的コンピュータ可読媒体。
【請求項２２】
前記帯域幅割り振りは、連続する帯域幅割り振り、または複数の不連続な帯域幅の範囲の割り振りのうちの少なくとも１つである、請求項１９に記載の非一時的コンピュータ可読媒体。
【請求項２３】
前記アップリンク伝送ウィンドウ長は、前記対応する可変サイズのＴＴＩを形成するためにアグリゲートされた１つまたは複数のシンボルを備える、請求項２０に記載の非一時的コンピュータ可読媒体。
【請求項２４】
前記アップリンク制御チャネル上で送信するための手段は、アクノレッジメント（ＡＣＫ／ＮＡＣＫ）またはチャネル品質情報（ＣＱＩ）メッセージを送信するための手段を備える、請求項２０に記載の非一時的コンピュータ可読媒体。
【手続補正２】
【補正対象書類名】明細書
【補正対象項目名】００９４
【補正方法】変更
【補正の内容】
【００９４】
[00109]前の説明は、当技術分野の当業者に、本明細書に説明された様々な態様を実施するのを可能にするために提供される。これらの態様への様々な修正は、当業者に容易に明らかとなり、本明細書に定義された一般的な原理は、他の態様に適用され得る。よって、特許請求の範囲は、本明細書に示された態様に限定されるように意図されてはいないが、特許請求の範囲の文言と一致する全範囲を付与されるべきであり、ここにおいて、単数形での要素への言及は、そうであると具体的に記載されない限り、「１つ及び１つのみ」を意味するようには意図されず、むしろ「１つまたは複数」を意味する。特に記載が無い限り、用語「いくつか」は１つまたは複数を指す。当業者に既知の、または後に周知となる、この開示を全体にわたって説明された様々な態様の要素と構造的及び機能的な同等物は全て、参照によって本明細書に明確に組み込まれ、特許請求の範囲に包含されるよう意図される。さらに、本明細書で開示されたものが、特許請求の範囲の中に明示的に記載されているか否かに関わらず、公に捧げられることを意図していない。要素が「〜する手段」というフレーズを使用して明確に記載されていない限り、どの請求項の要素もミーンズプラスファンクションとして解釈されるべきではない。
以下に本願の出願当初の特許請求の範囲に記載された発明を付記する。
［Ｃ１］
ワイヤレス通信システムにおけるネットワークエンティティによってサービス提供される１つまたは複数のＵＥのためのアップリンクスケジューリングを管理する方法であって、
前記ネットワークエンティティによって、アップリンク帯域幅割り振りマップを生成することと、前記アップリンク帯域幅割り振りマップは、複数のアップリンク伝送ウィンドウ長の少なくとも１つについての前記１つまたは複数のＵＥの少なくとも１つのためのアップリンク帯域幅割り振りを定義し、
前記１つまたは複数のＵＥの少なくとも１つに前記アップリンク帯域幅割り振りマップを送信することと
を備える、方法。
［Ｃ２］
前記生成することと送信することは、周期的に、及び周期性時間期間にしたがって生じる、Ｃ１の方法。
［Ｃ３］
アップリンク伝送ウィンドウのためのアップリンク伝送ウィンドウ長を選択することと、
前記アップリンク伝送ウィンドウの前に、前記１つまたは複数のＵＥの少なくとも１つに前記アップリンク伝送ウィンドウ長を送信することと
を更に備える、Ｃ１の方法。
［Ｃ４］
前記アップリンク伝送ウィンドウ長は、前記ネットワークエンティティに関連付けられた複数の前記１つまたは複数のＵＥに少なくとも部分的に基づいて選択される、Ｃ３の方法。
［Ｃ５］
前記アップリンク伝送ウィンドウ長は、前記１つまたは複数のＵＥに対応するＵＥのアップリンクロードに少なくとも部分的に基づいて選択される、Ｃ３の方法。
［Ｃ６］
複数の前記１つまたは複数のＵＥが前記アップリンク帯域幅割り振りマップにしたがって帯域幅を共有すべきと決定することと、
前記複数の前記１つまたは複数のＵＥの少なくとも１つによるアップリンク伝送の符号分割多重化を可能にするために、前記複数の前記１つまたは複数のＵＥの少なくとも１つのための一意のコードを生成することと、
前記複数の前記１つまたは複数のＵＥの少なくとも１つに前記一意のコードを送信することと
を更に備える、Ｃ１の方法。
［Ｃ７］
前記アップリンク帯域幅割り振りは、隣接する帯域幅の割り振りである、Ｃ１の方法。
［Ｃ８］
前記アップリンク帯域幅割り振りは、複数の不連続の帯域幅の範囲の割り振りを備える、Ｃ１の方法。
［Ｃ９］
ワイヤレス通信システムにおけるネットワークエンティティによってサービス提供される１つまたは複数のＵＥのためのアップリンクスケジューリングを管理するための装置であって、
プロセッサと、
前記プロセッサと電子通信するメモリと、
前記メモリに記憶された命令と
を備え、前記命令は、
前記ネットワークエンティティによって、アップリンク帯域幅割り振りマップを生成することと、前記アップリンク帯域幅割り振りマップは、複数のアップリンク伝送ウィンドウ長の少なくとも１つについての前記１つまたは複数のＵＥの少なくとも１つのためのアップリンク帯域幅割り振りを定義し、
前記１つまたは複数のＵＥの少なくとも１つに前記アップリンク帯域幅割り振りマップを送信することと
を行うように前記プロセッサによって実行可能である、装置。
［Ｃ１０］
前記アップリンク帯域幅割り振りマップを生成することを行うように前記プロセッサによって実行可能な前記命令と、前記アップリンク帯域幅割り振りマップを送信することを行うように前記プロセッサによって実行可能な前記命令は、周期的に、及び周期性時間期間にしたがって、前記プロセッサによって実行される、Ｃ９の装置。
［Ｃ１１］
前記命令は、
アップリンク伝送ウィンドウのためのアップリンク伝送ウィンドウ長を選択することと、
前記アップリンク伝送ウィンドウの前に、前記１つまたは複数のＵＥの少なくとも１つに前記アップリンク伝送ウィンドウ長を送信することと
を行うように前記プロセッサによって更に実行可能である、Ｃ９の装置。
［Ｃ１２］
前記アップリンク伝送ウィンドウ長は、前記ネットワークエンティティに関連付けられた複数の前記１つまたは複数のＵＥに少なくとも部分的に基づいて選択される、Ｃ１１の装置。
［Ｃ１３］
前記アップリンク伝送ウィンドウ長は、前記１つまたは複数のＵＥに対応するＵＥのアップリンクロードに少なくとも部分的に基づいて選択される、Ｃ１１の装置。
［Ｃ１４］
前記命令は、
複数の前記１つまたは複数のＵＥが前記アップリンク帯域幅割り振りマップにしたがって帯域幅を共有すべきと決定することと、
前記複数の前記１つまたは複数のＵＥの少なくとも１つによるアップリンク伝送の符号分割多重化を可能にするために、前記複数の前記１つまたは複数のＵＥの少なくとも１つのための一意のコードを生成することと、
前記複数の前記１つまたは複数のＵＥの少なくとも１つに前記一意のコードを送信することと
を行うように前記プロセッサによって更に実行可能である、Ｃ９の装置。
［Ｃ１５］
前記アップリンク帯域幅割り振りは、隣接する帯域幅の割り振りである、Ｃ９の装置。
［Ｃ１６］
前記アップリンク帯域幅割り振りは、複数の不連続の帯域幅の範囲の割り振りを備える、Ｃ９の装置。
［Ｃ１７］
ワイヤレス通信システムにおけるネットワークエンティティによってサービス提供される１つまたは複数のＵＥのためのアップリンクスケジューリングを管理するための装置であって、
前記ネットワークエンティティによって、アップリンク帯域幅割り振りマップを生成する手段と、前記アップリンク帯域幅割り振りマップは、複数のアップリンク伝送ウィンドウ長の少なくとも１つについての前記１つまたは複数のＵＥの少なくとも１つのためのアップリンク帯域幅割り振りを定義し、
前記１つまたは複数のＵＥの少なくとも１つに前記アップリンク帯域幅割り振りマップを送信する手段と
を備える、装置。
［Ｃ１８］
周期的に、及び周期性時間期間にしたがって、前記生成する手段は、前記アップリンク帯域幅割り振りマップを生成し、前記送信する手段は、前記アップリンク帯域幅割り振りマップを送信する、Ｃ１７の装置。
［Ｃ１９］
アップリンク伝送ウィンドウのためのアップリンク伝送ウィンドウ長を選択する手段と、
前記アップリンク伝送ウィンドウの前に、前記１つまたは複数のＵＥの少なくとも１つに前記アップリンク伝送ウィンドウ長を送信する手段と
を更に備える、Ｃ１７の装置。
［Ｃ２０］
前記アップリンク伝送ウィンドウ長は、前記ネットワークエンティティに関連付けられた複数の前記１つまたは複数のＵＥに少なくとも部分的に基づいて、前記選択する手段によって選択される、Ｃ１９の装置。
［Ｃ２１］
前記アップリンク伝送ウィンドウ長は、前記１つまたは複数のＵＥに対応するＵＥのアップリンクロードに少なくとも部分的に基づいて、前記選択する手段によって選択される、Ｃ１９の装置。
［Ｃ２２］
複数の前記１つまたは複数のＵＥが前記アップリンク帯域幅割り振りマップにしたがって帯域幅を共有すべきと決定する手段と、
前記複数の前記１つまたは複数のＵＥの少なくとも１つによるアップリンク伝送の符号分割多重化を可能にするために、前記複数の前記１つまたは複数のＵＥの少なくとも１つのための一意のコードを生成する手段と、
前記複数の前記１つまたは複数のＵＥの少なくとも１つに前記一意のコードを送信する手段と
を更に備える、Ｃ１７の装置。
［Ｃ２３］
前記アップリンク帯域幅割り振りは、隣接する帯域幅の割り振りである、Ｃ１７の装置。
［Ｃ２４］
前記アップリンク帯域幅割り振りは、複数の不連続の帯域幅の範囲の割り振りを備える、Ｃ１７の装置。
［Ｃ２５］
ワイヤレス通信におけるネットワークエンティティによってサービス提供される１つまたは複数のＵＥのためのアップリンクスケジューリングを管理するためのコンピュータ実行可能コードを記憶する非一時的コンピュータ可読媒体であって、前記コードは、
前記ネットワークエンティティによって、アップリンク帯域幅割り振りマップを生成することと、前記アップリンク帯域幅割り振りマップは、複数のアップリンク伝送ウィンドウ長の少なくとも１つについての前記１つまたは複数のＵＥの少なくとも１つのためのアップリンク帯域幅割り振りを定義し、
前記１つまたは複数のＵＥの少なくとも１つに前記アップリンク帯域幅割り振りマップを送信することと
を実行可能な命令を備える、非一時的コンピュータ可読媒体。
［Ｃ２６］
前記生成することと送信することとを実行可能な前記命令は、周期的に、及び周期性時間期間にしたがって実行される、Ｃ２５のコンピュータ可読媒体。
［Ｃ２７］
前記コードは、
アップリンク伝送ウィンドウのためのアップリンク伝送ウィンドウ長を選択することと、
前記アップリンク伝送ウィンドウの前に、前記１つまたは複数のＵＥの少なくとも１つに前記アップリンク伝送ウィンドウ長を送信することと
を実行可能な命令を更に備える、Ｃ２５のコンピュータ可読媒体。
［Ｃ２８］
前記アップリンク伝送ウィンドウ長を選択することを実施可能な前記命令は、前記ネットワークエンティティに関連付けられた複数の前記１つまたは複数のＵＥに少なくとも部分的に基づいて前記アップリンク伝送ウィンドウ長を選択することを実施可能である、Ｃ２７のコンピュータ可読媒体。
［Ｃ２９］
前記アップリンク伝送ウィンドウ長を選択することを実施可能な前記命令は、前記１つまたは複数のＵＥに対応するＵＥのアップリンクロードに少なくとも部分的に基づいて前記アップリンク伝送ウィンドウ長を選択することを実施可能である、Ｃ２７のコンピュータ可読媒体。
［Ｃ３０］
前記コードは、
複数の前記１つまたは複数のＵＥが前記アップリンク帯域幅割り振りマップにしたがって帯域幅を共有すべきと決定することと、
前記複数の前記１つまたは複数のＵＥの少なくとも１つによるアップリンク伝送の符号分割多重化を可能にするために、前記複数の前記１つまたは複数のＵＥの少なくとも１つのための一意のコードを生成することと、
前記複数の前記１つまたは複数のＵＥの少なくとも１つに前記一意のコードを送信することと
を実行可能な命令を更に備える、Ｃ２５のコンピュータ可読媒体。